(57)【要約】【課題】利用者が所定料金を支払い、通信回線を介して所望のコンテンツデータを受信して所定の利用可能期間のみ受信したコンテンツデータを利用でき、追加料金を支払うことにより前記利用可能期間を継続することができるコンテンツ配信システムに適用可能で、利用者に対して積極的に前記再生可能期間の継続を促すことができるコンテンツ配信装置、及び、同装置の動作プログラム、及び、端末装置、及び同装置の動作プログラムを提供する。【解決手段】コンテンツ配信装置又は端末装置に、利用者の決済処理状況を取得する決済処理状況取得手段と、取得した決済処理状況が所定の決済条件を満たしているか否かの判定を行う決済条件判定手段とを設け、この決済条件判定手段により、決済状況が決済条件を満たさないと判定したときに、品質を劣化させたコンテンツデータを端末装置により再生させることとした。【選択図】図２
2007122464.tif 000002
【特許請求の範囲】
【請求項１】
ライセンスに関する情報を含むコンテンツ配信要求を、ネットワークを介して、端末装置から受信する配信要求受信手段と、前記コンテンツ配信要求に対応するコンテンツデータを前記端末装置へ配信するコンテンツ配信手段とを有するコンテンツ配信装置において、
前記ライセンスに関する情報と前記ライセンスに対する決済条件とを関連付けて記憶するライセンス情報記憶手段と、
前記ライセンスに対する決済処理状況を取得する決済処理状況取得手段と、
前記決済処理状況取得手段によって取得した決済処理状況が前記決済条件を満たすか否かを判定する決済条件判定手段と、を備え、
前記コンテンツ配信手段は、
前記決済条件判定手段により前記決済処理状況が前記決済条件を満たさないと判定されたとき、前記コンテンツ配信要求を送信した前記端末装置に対し、前記コンテンツ配信要求に対応するコンテンツデータとは異なる決済処理促進用コンテンツデータを配信することを特徴とするコンテンツ配信装置。
【請求項２】
前記決済処理促進用コンテンツデータの配信可能期間、及び／又は配信可能回数を記憶する配信制限記憶手段を備え、
前記コンテンツ配信手段は、前記配信制限記憶手段に記憶した配信可能期間、及び／又は配信可能回数を超えたと判定すると、前記決済処理促進用コンテンツデータの配信を行なわないことを特徴とする請求項１に記載のコンテンツ配信装置。
【請求項３】
前記コンテンツ配信要求に対応するコンテンツデータの内容に関連した内容を備え、前記コンテンツデータとは内容の異なる関連コンテンツデータを記憶する関連コンテンツ記憶手段を有し、
前記コンテンツ配信手段は、前記関連コンテンツ記憶手段に記憶している関連コンテンツデータを前記決済処理促進用コンテンツデータとして前記端末装置へ配信することを特徴とする請求項１又は請求項２に記載のコンテンツ配信装置。
【請求項４】
前記コンテンツ配信要求に対応するコンテンツデータの一部を前記決済処理促進用コンテンツデータとして生成する第１コンテンツ生成手段を有し、
前記コンテンツ配信手段は、前記第１コンテンツ生成手段により生成した前記決済処理促進用コンテンツデータを前記端末装置へ配信することを特徴とする請求項１〜３のいずれか１項に記載のコンテンツ配信装置。
【請求項５】
前記コンテンツ配信要求に対応するコンテンツデータの再生品質を劣化させたコンテンツデータを前記決済処理促進用コンテンツデータとして生成する第２コンテンツ生成手段を有し、
前記コンテンツ配信手段は、前記第２コンテンツ生成手段により生成した前記決済処理促進用コンテンツデータを前記端末装置へ配信することを特徴とする請求項１〜４のいずれか１項に記載のコンテンツ配信装置。
【請求項６】
前記コンテンツ配信要求に対応するコンテンツデータの内容に関連した内容を備え前記コンテンツデータとは内容の異なる関連コンテンツデータを記憶する関連コンテンツ記憶手段と、前記コンテンツ配信要求に対応するコンテンツデータの一部を前記決済処理促進用コンテンツデータとして生成する第１コンテンツ生成手段と、前記コンテンツ配信要求に対応するコンテンツデータの再生品質を劣化させたコンテンツデータを前記決済処理促進用コンテンツデータとして生成する第２コンテンツ生成手段とを有し、
前記コンテンツ配信手段は、前記関連コンテンツ記憶手段に記憶している関連コンテンツデータと、前記第１コンテンツ生成手段により生成した前記決済処理促進用コンテンツデータと、前記第２コンテンツ生成手段により生成した前記決済処理促進用コンテンツデータとのうちから、いずれか１つのコンテンツデータを任意に選択するコンテンツ選択手段を有し、前記コンテンツ選択手段により選択したコンテンツデータを前記決済処理促進用コンテンツデータとして前記端末装置へ配信することを特徴とする請求項１又は請求項２に記載のコンテンツ配信装置。
【請求項７】
前記第２コンテンツ生成手段は、前記配信可能期間の開始からの経過時間に応じて、段階的に前記再生品質の劣化の度合いを高める第１劣化手段を有することを特徴とする請求項５又は請求項６に記載のコンテンツ配信装置。
【請求項８】
前記第２コンテンツ生成手段は、前記決済処理促進用コンテンツデータの配信回数の増加に応じて、段階的に前記再生品質の劣化の度合いを高める第２劣化手段を有することを特徴とする請求項５〜７のいずれか１項に記載のコンテンツ配信装置。
【請求項９】
前記第２コンテンツ生成手段は、前記決済処理促進用コンテンツデータ再生の進行に伴って段階的に前記再生品質の劣化の度合いを高める進行劣化手段を有することを特徴とする請求項５〜８のいずれか１項に記載のコンテンツ配信装置。
【請求項１０】
コンピュータを、請求項１〜９のいずれか１項に記載の配信装置の各手段として機能させるためのプログラム。
【請求項１１】
コンテンツデータを取得するコンテンツ取得手段と、コンテンツデータを再生する再生手段とを備えたコンテンツ再生装置において、
前記コンテンツデータを再生するためのライセンスに関する情報と前記ライセンスに対する決済条件とを関連付けて記憶するライセンス情報記憶手段と、
前記ライセンスに対する決済処理状況を、前記ライセンスに関する情報に基づいて取得する決済処理状況取得手段と、
前記決済処理状況取得手段によって取得した決済処理状況が前記決済条件を満たすか否かを判定する決済条件判定手段と、
前記コンテンツ取得手段で取得したコンテンツデータの再生制限を行なう再生制限手段と、を備え、
前記再生手段は、前記決済条件判定手段により前記決済処理状況が前記決済条件を満たさないと判定されたとき、再生制限を行なったコンテンツデータを再生することを特徴とするコンテンツ再生装置。
【請求項１２】
前記再生制限を行なったコンテンツデータの再生可能期間、及び／又は再生可能回数を記憶する再生制限記憶手段を備え、
前記再生制限手段は、前記再生制限記憶手段に記憶した再生可能期間、及び／又は再生可能回数を超えたと判定すると、前記再生制限を行なったコンテンツデータの再生を行なわないことにより前記コンテンツデータの再生を制限する第１再生制限手段を有することを特徴とする請求項１１に記載のコンテンツ再生装置。
【請求項１３】
前記再生制限手段は、前記決済条件判定手段により前記決済処理状況が前記決済条件を満たさないと判定されたときに、前記コンテンツ配信要求に対応するコンテンツデータの内容に関連した内容を備え前記コンテンツデータとは内容の異なる関連コンテンツデータの配信要求をコンテンツ配信装置に対して行う関連コンテンツ要求手段と、
前記配信要求に対応した前記関連コンテンツデータを受信する関連コンテンツ受信手段と、
前記関連コンテンツ受信手段により受信した前記関連コンテンツデータを記憶する関連コンテンツ記憶手段と、を備え、
前記再生手段は、前記関連コンテンツ記憶手段に記憶した前記関連コンテンツデータを、前記再生制限を行なったコンテンツデータとして再生することを特徴とする請求項１１又は請求項１２に記載のコンテンツ再生装置。
【請求項１４】
前記再生制限手段は、前記コンテンツ取得手段で取得したコンテンツデータの一部のみを前記再生手段により再生可能に制限する第２再生制限手段を有することを特徴とする請求項１１〜１３のいずれか１項に記載のコンテンツ再生装置。
【請求項１５】
前記再生制限手段は、前記コンテンツ取得手段で取得したコンテンツデータの再生品質を劣化させることにより前記コンテンツデータの再生を制限する第３再生制限手段を有することを特徴とする請求項１１〜１４のいずれか１項に記載のコンテンツ再生装置。
【請求項１６】
前記再生制限手段は、前記決済条件判定手段により前記決済処理状況が前記決済条件を満たさないと判定されたときに、前記コンテンツ配信要求に対応するコンテンツデータの内容に関連した内容を備え前記コンテンツデータとは内容の異なる関連コンテンツデータの配信要求をコンテンツ配信装置に対して行う関連コンテンツ要求手段と、
前記配信要求に対応した前記関連コンテンツデータを受信する関連コンテンツ受信手段と、
前記関連コンテンツ受信手段により受信した前記関連コンテンツデータを記憶する関連コンテンツ記憶手段と、
前記コンテンツ取得手段で取得したコンテンツデータの一部のみを前記再生手段により再生可能に制限する第２再生制限手段と、
前記コンテンツ取得手段で取得したコンテンツデータの再生品質を劣化させることにより前記コンテンツデータの再生を制限する第３再生制限手段とを備え、
前記再生手段は、前記関連コンテンツ記憶手段に記憶した前記関連コンテンツデータと、前記第２再生制限手段により生成したコンテンツデータと、前記第３再生制限手段により生成したコンテンツデータとのうち、いずれか１つのコンテンツデータを任意に選択するコンテンツ選択手段を有し、前記コンテンツ選択手段により選択したコンテンツデータを前記再生制限を行なったコンテンツデータとして再生することを特徴とする請求項１１又は請求項１２に記載のコンテンツ再生装置。
【請求項１７】
前記第３再生制限手段は、前記再生可能期間の開始からの経過時間に応じて、段階的に前記再生品質の劣化の度合いを高める第１劣化手段を有することを特徴とする請求項１５又は、請求項１６に記載のコンテンツ再生装置。
【請求項１８】
前記第３再生制限手段は、前記コンテンツ取得手段で取得したコンテンツデータの再生回数の増加に応じて、段階的に前記再生品質の劣化の度合いを高める第２劣化手段を有することを特徴とする請求項１５〜請求項１７に記載のコンテンツ再生装置。
【請求項１９】
前記第３再生制限手段は、前記コンテンツデータ再生の進行に伴って段階的に前記再生品質の劣化の度合いを高める進行劣化手段を有することを特徴とする請求項１５〜１８のいずれか１項に記載のコンテンツ再生装置。
【請求項２０】
コンピュータを、請求項１１〜１９のいずれか１項に記載の再生装置の各手段として機能させるためのプログラム。
【発明の詳細な説明】
【技術分野】
【０００１】
本発明は、コンテンツ配信装置、及び、同装置の動作プログラム、及び、コンテンツ再生装置、及び、同装置の動作プログラムに関するものである。
【背景技術】
【０００２】
従来より、音楽や映像などのコンテンツを記録したビデオテープやＣＤ、ＤＶＤなどの複数の記録媒体を店舗に陳列し、来店した利用客が所定の料金を支払って、所望のコンテンツを記録した記録媒体を一定期間レンタルして視聴するというコンテンツレンタルシステムが広く利用されている。
【０００３】
しかし、このコンテンツレンタルシステムにおいて、店舗側は、複数種類のコンテンツを記録した多数の記録媒体を保有しておかなければならず、しかも、その多数の記録媒体を陳列するためスペースを備えた店舗や、利用客に対応する従業員などが必要となり、店舗を運営するために多大な費用が必要であった。
【０００４】
また、この種店舗を利用する利用者は、コンテンツ記録した記録媒体を借りるために店舗へ出向く必要があり、さらに、コンテンツを視聴した後には、借りた記録媒体を返却するために再度店舗へ出向く必要があり、面倒であった。
【０００５】
そこで、近年普及しているインターネットを始めとする通信回線を利用して、多数の記録媒体を陳列するための店舗や、利用者に対応する従業員を必要とせず、利用者が好きなときに所望するコンテンツを一定期間レンタルして視聴することができるコンテンツ配信システムが考案されている（たとえば、特許文献１参照。）。
【０００６】
このコンテンツ配信システムは、音楽データや映像データなどの複数のコンテンツデータを保有しているコンテンツ配信業者から、利用者が通信回線を介して所望するコンテンツデータを受信することにより、好きなときに所望するコンテンツを視聴することができるシステムである。
【０００７】
すなわち、このコンテンツ配信システムは、複数種類のコンテンツデータを記憶するコンテンツ記憶手段と、利用者からの配信要求に対応したコンテンツデータを配信するコンテンツ配信手段と、コンテンツデータが所定の貸出条件の制限内で使用されるようにコンテンツデータにプロテクトを施した配信データを生成する配信データ生成手段とを備えたコンテンツ配信業者側のコンテンツ配信装置と、コンテンツ配信装置へコンテンツの配信要求を送信する配信要求送信手段と、コンテンツ配信装置から配信される配信データを受信するコンテンツ受信手段と、受信した配信データを再生する再生手段とを備えた利用者側の端末装置と、インターネットなどの通信回線とにより構成されている。
【０００８】
そして、利用者がコンテンツ配信業者に対して、所望するコンテンツに対応する料金を支払うと共に、自身の端末装置を、通信回線を介してコンテンツ配信装置に接続し、コンテンツ配信装置から所望するコンテンツに対応した配信データを受信することにより、一定期間そのコンテンツをレンタルして視聴することができるように構成している。
【０００９】
また、このコンテンツ配信システムにおいて、コンテンツ配信装置は、配信データに対して複数種類のレンタル期間を設定することが可能であり、利用者は、更に追加料金を支払うことにより、当初のレンタル期間が終了した後であっても、延長したレンタル期間において一度受信した配信データを再生してコンテンツを視聴することができるように構成されている。
【特許文献１】特開２００１−３１９１６４号公報
【発明の開示】
【発明が解決しようとする課題】
【００１０】
ところが、上記従来のコンテンツ配信システムでは、コンテンツ配信装置の配信データ生成手段により、一定のレンタル期間が終了した後に利用者が配信データを利用できないようなプロテクトをコンテンツデータに施すように構成していたため、利用者が追加料金を支払ってレンタル期間を継続させるということに関して、コンテンツ配信業者はあくまで受動的な存在でしかなく、この追加料金による利益の増大を図ることは困難であった。
【課題を解決するための手段】
【００１１】
そこで、請求項１に係る本発明では、ライセンスに関する情報を含むコンテンツ配信要求を、ネットワークを介して、端末装置から受信する配信要求受信手段と、コンテンツ配信要求に対応するコンテンツデータを端末装置へ配信するコンテンツ配信手段とを有するコンテンツ配信装置において、ライセンスに関する情報とライセンスに対する決済条件とを関連付けて記憶するライセンス情報記憶手段と、ライセンスに対する決済処理状況を取得する決済処理状況取得手段と、決済処理状況取得手段によって取得した決済処理状況が決済条件を満たすか否かを判定する決済条件判定手段とを備え、コンテンツ配信手段は、決済条件判定手段により決済処理状況が決済条件を満たさないと判定されたとき、コンテンツ配信要求を送信した端末装置に対し、コンテンツ配信要求に対応するコンテンツデータとは異なる決済処理促進用コンテンツデータを配信することとした。
【００１２】
また、請求項２に係る本発明では、請求項１に記載のコンテンツ配信装置において、決済処理促進用コンテンツデータの配信可能期間、及び／又は配信可能回数を記憶する配信制限記憶手段を備え、コンテンツ配信手段は、配信制限記憶手段に記憶した配信可能期間、及び／又は配信可能回数を超えたと判定すると、決済処理促進用コンテンツデータの配信を行なわないことを特徴とする。
【００１３】
また、請求項３に係る本発明では、請求項１又は請求項２に記載のコンテンツ配信装置において、コンテンツ配信要求に対応するコンテンツデータの内容に関連した内容を備え、コンテンツデータとは内容の異なる関連コンテンツデータを記憶する関連コンテンツ記憶手段を有し、コンテンツ配信手段は、関連コンテンツ記憶手段に記憶している関連コンテンツデータを決済処理促進用コンテンツデータとして端末装置へ配信することを特徴とする。
【００１４】
また、請求項４に係る本発明では、請求項１〜３のいずれか１項に記載のコンテンツ配信装置において、コンテンツ配信要求に対応するコンテンツデータの一部を決済処理促進用コンテンツデータとして生成する第１コンテンツ生成手段を有し、コンテンツ配信手段は、第１コンテンツ生成手段により生成した決済処理促進用コンテンツデータを端末装置へ配信することを特徴とする。
【００１５】
また、請求項５に係る本発明では、請求項１〜４のいずれか１項に記載のコンテンツ配信装置において、コンテンツ配信要求に対応するコンテンツデータの再生品質を劣化させたコンテンツデータを決済処理促進用コンテンツデータとして生成する第２コンテンツ生成手段を有し、コンテンツ配信手段は、第２コンテンツ生成手段により生成した決済処理促進用コンテンツデータを端末装置へ配信することを特徴とする。
【００１６】
また、請求項６に係る本発明では、請求項１又は請求項２に記載のコンテンツ配信装置において、コンテンツ配信要求に対応するコンテンツデータの内容に関連した内容を備えコンテンツデータとは内容の異なる関連コンテンツデータを記憶する関連コンテンツ記憶手段と、コンテンツ配信要求に対応するコンテンツデータの一部を決済処理促進用コンテンツデータとして生成する第１コンテンツ生成手段と、コンテンツ配信要求に対応するコンテンツデータの再生品質を劣化させたコンテンツデータを決済処理促進用コンテンツデータとして生成する第２コンテンツ生成手段とを有し、コンテンツ配信手段は、関連コンテンツ記憶手段に記憶している関連コンテンツデータと、第１コンテンツ生成手段により生成した決済処理促進用コンテンツデータと、第２コンテンツ生成手段により生成した決済処理促進用コンテンツデータとのうちから、いずれか１つのコンテンツデータを任意に選択するコンテンツ選択手段を有し、コンテンツ選択手段により選択したコンテンツデータを決済処理促進用コンテンツデータとして端末装置へ配信することを特徴とする。
【００１７】
また、請求項７に係る本発明では、請求項５又は請求項６に記載のコンテンツ配信装置において、第２コンテンツ生成手段は、配信可能期間の開始からの経過時間に応じて、段階的に再生品質の劣化の度合いを高める第１劣化手段を有することを特徴とする。
【００１８】
また、請求項８に係る本発明では、請求項５〜７のいずれか１項に記載のコンテンツ配信装置において、第２コンテンツ生成手段は、決済処理促進用コンテンツデータの配信回数の増加に応じて、段階的に再生品質の劣化の度合いを高める第２劣化手段を有することを特徴とする。
【００１９】
また、請求項９に係る本発明では、請求項５〜８のいずれか１項に記載のコンテンツ配信装置において、第２コンテンツ生成手段は、決済処理促進用コンテンツデータ再生の進行に伴って段階的に再生品質の劣化の度合いを高める進行劣化手段を有することを特徴とする。
【００２０】
また、請求項１０に係る本発明では、コンピュータを、請求項１〜９のいずれか１項に記載の配信装置の各手段として機能させるためのプログラムを提供する。
【００２１】
また、請求項１１に係る本発明では、コンテンツデータを取得するコンテンツ取得手段と、コンテンツデータを再生する再生手段とを備えたコンテンツ再生装置において、コンテンツデータを再生するためのライセンスに関する情報とライセンスに対する決済条件とを関連付けて記憶するライセンス情報記憶手段と、ライセンスに対する決済処理状況を、ライセンスに関する情報に基づいて取得する決済処理状況取得手段と、決済処理状況取得手段によって取得した決済処理状況が決済条件を満たすか否かを判定する決済条件判定手段と、コンテンツ取得手段で取得したコンテンツデータの再生制限を行なう再生制限手段とを備え、再生手段は、決済条件判定手段により決済処理状況が決済条件を満たさないと判定されたとき、再生制限を行なったコンテンツデータを再生することを特徴とするコンテンツ再生装置。
【００２２】
また請求項１２に係る本発明では、請求項１１に記載のコンテンツ再生装置において、再生制限を行なったコンテンツデータの再生可能期間、及び／又は再生可能回数を記憶する再生制限記憶手段を備え、再生制限手段は、再生制限記憶手段に記憶した再生可能期間、及び／又は再生可能回数を超えたと判定すると、再生制限を行なったコンテンツデータの再生を行なわないことによりコンテンツデータの再生を制限する第１再生制限手段を有することを特徴とする。
【００２３】
また、請求項１３に係る本発明では、請求項１１又は請求項１２に記載のコンテンツ再生装置において、再生制限手段は、決済条件判定手段により決済処理状況が決済条件を満たさないと判定されたときに、コンテンツ配信要求に対応するコンテンツデータの内容に関連した内容を備えコンテンツデータとは内容の異なる関連コンテンツデータの配信要求をコンテンツ配信装置に対して行う関連コンテンツ要求手段と、配信要求に対応した関連コンテンツデータを受信する関連コンテンツ受信手段と、関連コンテンツ受信手段により受信した関連コンテンツデータを記憶する関連コンテンツ記憶手段とを備え、再生手段は、関連コンテンツ記憶手段に記憶した関連コンテンツデータを、再生制限を行なったコンテンツデータとして再生することを特徴とする。
【００２４】
また、請求項１４に係る本発明では、請求項１１〜１３のいずれか１項に記載のコンテンツ再生装置において、再生制限手段は、コンテンツ取得手段で取得したコンテンツデータの一部のみを再生手段により再生可能に制限する第２再生制限手段を有することを特徴とする。
【００２５】
また、請求項１５に係る本発明では、請求項１１〜１４のいずれか１項に記載のコンテンツ再生装置において、再生制限手段は、コンテンツ取得手段で取得したコンテンツデータの再生品質を劣化させることによりコンテンツデータの再生を制限する第３再生制限手段を有することを特徴とする。
【００２６】
また、請求項１６に係る本発明では、請求項１１又は請求項１２に記載のコンテンツ再生装置において、再生制限手段は、決済条件判定手段により決済処理状況が決済条件を満たさないと判定されたときに、コンテンツ配信要求に対応するコンテンツデータの内容に関連した内容を備えコンテンツデータとは内容の異なる関連コンテンツデータの配信要求をコンテンツ配信装置に対して行う関連コンテンツ要求手段と、配信要求に対応した関連コンテンツデータを受信する関連コンテンツ受信手段と、関連コンテンツ受信手段により受信した関連コンテンツデータを記憶する関連コンテンツ記憶手段と、コンテンツ取得手段で取得したコンテンツデータの一部のみを再生手段により再生可能に制限する第２再生制限手段と、コンテンツ取得手段で取得したコンテンツデータの再生品質を劣化させることによりコンテンツデータの再生を制限する第３再生制限手段とを備え、再生手段は、関連コンテンツ記憶手段に記憶した関連コンテンツデータと、第２再生制限手段により生成したコンテンツデータと、第３再生制限手段により生成したコンテンツデータとのうち、いずれか１つのコンテンツデータを任意に選択するコンテンツ選択手段を有し、コンテンツ選択手段により選択したコンテンツデータを再生制限を行なったコンテンツデータとして再生することを特徴とする。
【００２７】
また、請求項１７に係る本発明では、請求項１５又は、請求項１６に記載のコンテンツ再生装置において、第３再生制限手段は、再生可能期間の開始からの経過時間に応じて、段階的に再生品質の劣化の度合いを高める第１劣化手段を有することを特徴とする。
【００２８】
また、請求項１８に係る本発明では、請求項１５〜請求項１７に記載のコンテンツ再生装置において、第３再生制限手段は、コンテンツ取得手段で取得したコンテンツデータの再生回数の増加に応じて、段階的に再生品質の劣化の度合いを高める第２劣化手段を有することを特徴とする。
【００２９】
また、請求項１９に係る本発明では、請求項１５〜１８のいずれか１項に記載のコンテンツ再生装置において、第３再生制限手段は、コンテンツデータ再生の進行に伴って段階的に再生品質の劣化の度合いを高める進行劣化手段を有することを特徴とする。
【００３０】
また、請求項２０に係る本発明では、コンピュータを、請求項１１〜１９のいずれか１項に記載の再生装置の各手段として機能させるためのプログラムを提供する。
【発明の効果】
【００３１】
本発明によれば、以下に記載するような効果を奏する。
【００３２】
請求項１〜２０に係る本発明によれば、コンテンツデータの配信業者がコンテンツの利用者に対して、積極的にコンテンツの再生期間の継続を促すことができる。
【００３３】
請求項１に係る本発明では、端末装置からのコンテンツ配信要求を受信した際に、決済条件判定手段により決済処理状況が決済条件を満たさないと判定されたとき、コンテンツデータの配信を完全に禁止するのではなく、コンテンツ配信要求を送信した端末装置へ決済処理促進用コンテンツデータを配信することにより、コンテンツ配信要求を送信した利用者に対して、コンテンツの利用可能期間の継続を積極的に促すことができ、その利用者に決済処理である追加料金の支払を促すことができる。
【００３４】
また、請求項２に係る本発明では、配信要求を送信した利用者に対して、決済処理促進用コンテンツデータの配信可能期間や、配信可能回数を超えて決済処理促進用コンテンツデータを配信することがないので、決済促進用コンテンツデータの視聴を目的とした利用者に対して、コンテンツの配信制限を行うことができる。
【００３５】
また、請求項３に係る本発明では、コンテンツ配信要求を送信した端末装置へ関連コンテンツデータを配信することによって、コンテンツ配信要求を送信した利用者に対して、コンテンツの利用可能期間の継続を促すことが出来る。
【００３６】
また、請求項４に係る本発明では、第１コンテンツ生成手段により生成した一部のみ再生可能な決済処理促進用コンテンツデータを利用者側の端末装置へ配信することにより、利用者は、全体を通してコンテンツを視聴したくなるので、利用者に対してコンテンツの再生可能期間の継続を積極的に促すことができる。
【００３７】
また、請求項５に係る本発明では、第２コンテンツ生成手段により生成した再生品質を劣化させた決済処理促進用コンテンツデータを利用者側の端末装置へ配信することにより、利用者は、更に品質の高い正規のコンテンツを視聴したくなるので、利用者に対してコンテンツの再生可能期間の継続を積極的に促すことができる。
【００３８】
また、請求項６に係る本発明では、関連コンテンツデータと第１コンテンツ生成手段により生成した決済処理促進用コンテンツデータと第２コンテンツ生成手段により生成した決済処理促進用コンテンツデータのなかから任意に選択したデータを利用者側の端末装置へ配信することができるので、利用者の興趣をそぐことなく、コンテンツの再生可能期間の継続を積極的に促すことができる。
【００３９】
また、請求項７に係る本発明では、配信可能期間の開始からの経過時間に応じて、段階的に再生品質の劣化を高めることによって、利用者に、再生品質の劣化度合いによって再生不可能となる時期が近づいていることを認識させることができ、コンテンツの再生可能期間の継続を更に積極的に促すことができる。
【００４０】
また、請求項８に係る本発明では、決済処理促進用コンテンツデータの配信回数に応じて、段階的に再生品質を劣化させることにより、利用者に、再生品質の劣化度合いによって再生不可能となる回数が近づいていることを認識させることができ、コンテンツの再生可能期間の継続を更に積極的に促すことができる。
【００４１】
また、請求項９に係る本発明では、決済処理促進用コンテンツデータ再生の進行に伴って段階的に再生品質を劣化させることにより、決済処理促進用コンテンツデータを再生中に利用者へ、決済処理が行われていないことを認識させることができ、利用者に対して積極的に決済処理を促すことができる。
【００４２】
また、請求項１１に係る本発明では、取得したコンテンツデータを再生する際に、決済条件判定手段により決済処理状況が決済条件を満たさないと判定されたとき、コンテンツデータの再生を完全に禁止するのではなく、再生制限を行ったコンテンツデータを再生させることにより、利用者に対して、コンテンツの利用可能期間の継続を積極的に促すことができ、その利用者に決済処理である追加料金の支払を促すことができる。
【００４３】
また請求項１２に係る本発明では、取得したコンテンツデータを再生する利用者は、再生制限を行ったコンテンツデータの再生可能期間や、再生可能回数を超えて再生制限を行ったコンテンツデータを再生することがないので、再生制限を行ったコンテンツデータの視聴を目的とした利用者に対して、コンテンツの再生を禁止することができ、好適に決済処理を促すことができる。
【００４４】
また、請求項１３に係る本発明では、利用者に関連コンテンツデータを再生させることによって、コンテンツの利用可能期間の継続を促すことが出来る。
【００４５】
また、請求項１４に係る本発明では、第２再生制限手段により再生制限を行ったコンテンツデータを利用者に再生させることによって、このコンテンツデータを再生した利用者は、全体を通してコンテンツを視聴したくなるので、この利用者に対してコンテンツの再生可能期間の継続を積極的に促すことができる。
【００４６】
また、請求項１５に係る本発明では、第３再生制限手段により再生制限を行ったコンテンツデータを利用者に再生させることによって、このコンテンツデータを再生した利用者は、更に品質の高い正規のコンテンツを視聴したくなるので、この利用者に対してコンテンツの再生可能期間の継続を積極的に促すことができる。
【００４７】
また、請求項１６に係る本発明では、関連コンテンツデータと第２再生制限手段により再生制限を行ったコンテンツデータと、第３再生制限手段により再生制限を行ったコンテンツデータとのなかから任意に選択したコンテンツデータ再生させることができるので、利用者の興趣をそぐことなく、コンテンツの再生可能期間の継続を積極的に促すことができる。
【００４８】
また、請求項１７に係る本発明では、配信可能期間の開始からの経過時間に応じて、段階的に再生品質の劣化を高めることによって、利用者に、再生品質の劣化度合いによって再生不可能となる時期が近づいていることを認識させることができ、コンテンツの再生可能期間の継続を更に積極的に促すことができる。
【００４９】
また、請求項１８に係る本発明では、再生制限を行ったコンテンツデータの配信回数に応じて、段階的に再生品質を劣化させることにより、利用者に、再生品質の劣化度合いによって再生不可能となる回数が近づいていることを認識させることができ、コンテンツの再生可能期間の継続を更に積極的に促すことができる。
【００５０】
また、請求項１９に係る本発明では、再生制限を行ったコンテンツデータ再生の進行に伴って段階的に再生品質を劣化させることにより、決済処理促進用コンテンツデータを再生中に利用者へ、決済処理が行われていないことを認識させることができ、利用者に対して積極的に決済処理を促すことができる。
【発明を実施するための最良の形態】
【００５１】
以下、本発明の実施形態について図面を参照して具体的に説明する。
【００５２】
〔１．第１実施形態〕
〔１．１．本発明によるコンテンツ配信装置を適用するコンテンツ配信システムの概要〕
まず、図１を参照して、本発明によるコンテンツ配信装置を適用するコンテンツ配信システムの概要について説明する。
【００５３】
図１に示すように、このコンテンツ配信システムＳは、利用者からのコンテンツ配信要求に基づいて、映像や音楽などのコンテンツデータを配信するコンテンツ配信業者側のコンテンツ配信装置１と、このコンテンツ配信装置１から配信されるコンテンツデータを受信して再生する利用者側の端末装置２と、利用者がコンテンツを利用するためにコンテンツ配信業者に対して支払う料金の決済処理状況などを管理する支払管理装置３とを備えている。
【００５４】
また、これらコンテンツ配信装置１と端末装置２と支払管理装置３とは、それぞれインターネットなどの通信回線４により接続するようにしている。
【００５５】
そして、コンテンツ配信システムＳは、コンテンツ配信装置１が、利用者から後述するライセンスに関する情報を含むコンテンツ配信要求を受信すると共に、その利用者が所望するコンテンツに対応した料金を支払ったことを確認すると、コンテンツ配信装置１から利用者側の端末装置２へ、支払われた料金に対応した期間に限りコンテンツデータを配信することにより、コンテンツ配信業者が利用者に対してコンテンツを貸出するシステムである。
【００５６】
具体的には、利用者は、コンテンツ配信業者が運営しているコンテンツ配信サイトへアクセスし、所望するコンテンツを選択する。
【００５７】
ここで、利用者が初めてこのコンテンツ配信サイトを利用する場合は、まず、利用者自身の住所、氏名、電話番号、クレジットカード番号などの個人情報をコンテンツ配信装置１へ送信する。
【００５８】
コンテンツ配信装置１は、この個人情報を受信すると、受信した個人情報を記録すると共に、個人情報を送信した利用者側の端末装置２に対して、このコンテンツ配信サイトを利用するためのライセンスとしてのＩＤ及びパスワードを送信する。
【００５９】
このＩＤ及びパスワードを端末装置２により受信した利用者は、端末装置２を操作することによりコンテンツ配信サイトに掲載されている複数種類のコンテンツから所望するコンテンツを選択する。
【００６０】
このときコンテンツ配信装置１は、支払管理装置３へ利用者のライセンスに関する情報を送信することにより、このライセンスに対応する利用者の決済処理状況を要求して受信する。
【００６１】
本実施形態における決済処理状況とは、ライセンスに対応する利用者の口座から所定の料金が引き落とされ、コンテンツ配信業者の口座へ振り込まれたか否かの情報、及び、これら引き落としと振込みがなされた日時に関する情報のことである。
【００６２】
なお、決済処理状況として、上記した口座からの料金引き落としに関する情報の他に、利用者が所望するコンテンツに対する料金支払の意思を示したか否かの情報を付加してもよい。
【００６３】
この場合支払管理装置３は、利用者が端末装置２の入力画面においてクレジットカードの番号などを入力して確定ボタンを押すことで、料金支払いの意思があるとみなすことができ、実際に振込みがされていない金額にプラスして再度請求する形とすることができる。
【００６４】
このとき、クレジットカードでの支払いの意志を利用者が示したとしても、そのクレジットカードでの支払いが実際には可能でない場合（例えば、限度額を超えている場合や、番号が間違っていた場合など）があるので、支払いが可能なことをクレジット会社に確認したときに、決裁処理状況を更新することが望ましい。
【００６５】
コンテンツ配信装置１は、この決済処理状況に基づいて、利用者により料金が支払われたことを確認した後に、支払われた料金に対応した期間のみコンテンツデータを利用者へ配信することにより、利用者へコンテンツの貸出しを行うようにしている。
【００６６】
また、このコンテンツ配信システムＳでは、利用者が支払った料金に対応するコンテンツの利用可能期間が終了した後であっても、利用者がコンテンツ配信業者に対して更に追加料金を支払うことによって、その追加料金に対応する期間だけコンテンツの利用可能期間を継続させることができるようにしている。
【００６７】
以下、このコンテンツ配信システムＳを構成するコンテンツ配信装置１、端末装置２、支払管理装置３について、具体的に説明する。
【００６８】
〔１．２．コンテンツ配信装置の構成〕
図２は、第１実施形態におけるコンテンツ配信装置１の概略構成を示す機能ブロック図である。コンテンツ配信装置１は、一般のサーバコンピュータを適用可能であり、図２に示すように、ＣＰＵ（Central Processing Unit）101と、各種プログラム等を記憶（格納）する書き換え可能な第１の記憶部102と、各種データ等を記憶するハードディスク装置等から構成された第２の記憶部103と、通信回線４を介して利用者側の端末装置２や支払管理装置３との間で通信を行うネットワークインターフェイス104と、所定の情報を入力可能なキーボード105やマウス106等の入力部を制御する周辺機器制御チップ107と、ＣＰＵ101からイメージデータを受け取り、内部のビデオメモリ（図示せず）に書き込むと共にこのビデオメモリに書き込んだデータを後述のディスプレイ109に表示するビデオチップ108と、ビデオチップ108から送信される信号に応じた表示を行うディスプレイ109と、ＦＭ音源(Frequency Modulation)やWave Table音源などの音源を有する音源チップ110と、音源チップ110から出力されるオーディオ信号を音波に変換するスピーカ111とを備えて構成され、これらの各種構成要素はシステムバス112を介して相互に接続されている。なお、本実施形態においては、ＣＰＵ101と第１の記憶部102と第２の記憶部103とで制御部113を構成している。なお、ネットワークインターフェイス104は、ルータ10ａを介して、通信回線４に接続されている。
【００６９】
（第１の記憶部102について）
また、第１の記憶部102には、コンテンツ配信装置１のコンピュータとしての基本的な機能を提供するためのＯＳ（オペレーティングシステム）のプログラム120と、第２の記憶部103に記憶されたコンテンツデータを取り出して端末装置２へ配信するための配信制御プログラム121と、配信するコンテンツデータに対して再生制限処理を施すことにより決済処理促進用コンテンツデータを生成するための再生制限制御プログラム122と、ディスプレイ109を制御するための画面制御プログラム123と、利用者の決済処理状況が後述する決済条件を満たしているか否かを判定するための決済条件判定制御プログラム124等を記憶しており、これらはＣＰＵ101によって読み出され、ＣＰＵ101によってこれらのプログラムに従った機能が実行される。
【００７０】
ここで、ＯＳプログラム120は、ＣＰＵ101によって読み出されて実行されることにより、キーボード105やマウス106の入出力に関する機能や、第１の記憶部102や第２の記憶部103などのメモリ管理などのコンテンツ配信装置１であるコンピュータの基本的な機能を実行可能にするものである。そして、このＯＳプログラム120がＣＰＵ101によって実行された状態で、上述の配信制御プログラム121、再生制限制御プログラム122、画面制御プログラム123、決済条件判定プログラム124等が実行される。
【００７１】
なお、ＯＳプログラム120、配信制御プログラム121、再生制限制御プログラム122、画面制御プログラム123、決済条件判定プログラム124等は、例えば、通信回線４に接続されたサーバ等から第１の記憶部102にダウンロードされるようにしてもよく、又ＣＤ−ＲＯＭ等の記憶媒体に記録されてから当該記憶媒体のドライブを介して、第１の記憶部102に読み込まれるようにしてもよい。
【００７２】
（第２の記憶部103について）
また、第２の記憶部103は、利用者側の端末装置２へ送信するための複数種類の映像データや音楽データからなるコンテンツデータを記憶しておりコンテンツデータ記憶手段として機能すると共に、これら各コンテンツデータの内容と関連した内容でありながら、そのコンテンツデータとは内容の異なる関連コンテンツデータ（以下、「お試し版データ」という。）を記憶しており、関連コンテンツデータ記憶手段としても機能するものである。
【００７３】
この関連コンテンツ記憶手段に記憶しているお試し版データは、後述する決済条件判定手段による判定の結果に基づいて、端末装置２へ決済処理促進用データとして配信されるものである。
【００７４】
さらに、この第２記憶部103は、コンテンツ配信要求を送信してきた各利用者のライセンスに関する情報（利用者のＩＤ及びパスワード）と、決済条件とを関連付けて記憶しており、ライセンス情報記憶手段として機能するものである。
【００７５】
ここでいう決済条件とは、次の２つの条件を示す。
【００７６】
決済条件１：コンテンツ配信要求を送信した利用者が要求したコンテンツに対する所定の料金を最初に支払ってから現在までの間に追加料金を支払っておらず、現在、最初の支払に対応したコンテンツ利用可能期間内であるという条件。
【００７７】
決済条件２：コンテンツ配信要求を送信した利用者が要求したコンテンツに対する所定の料金を最初に支払ってから現在までの間に追加料金を支払っており、現在、支払った追加料金に対応したコンテンツ利用可能期間内であるという条件。
【００７８】
また、この第２の記憶部103は、後述する決済処理促進用コンテンツデータの配信可能期間、及び／又は配信可能回数等からなる配信制限情報を記憶しており、配信制限記憶手段としても機能するものである。
【００７９】
（制御部113について）
制御部113は、上述のようにＣＰＵ101と第１の記憶部102と第２の記憶部103とから構成され、ＣＰＵ101が第１の記憶部102に記憶された各種プログラム120〜124を読み出して実行することにより、コンテンツ配信装置１全体を統括制御し、かつ、後述する配信要求受信手段、コンテンツ配信手段、決済処理状況取得手段、決済条件判定手段、第１コンテンツ生成手段、第２コンテンツ生成手段、コンテンツ選択手段、第１劣化手段、第２劣化手段、進行劣化手段等として機能するものである。
【００８０】
（配信要求受信手段について）
すなわち、コンテンツ配信装置１の制御部113（以下、単に「制御部113」ともいう。）は、配信要求受信手段として機能して、ライセンスに関する情報を含むコンテンツ配信要求を、通信回線４により構成したネットワークを介して、端末装置２から受信する処理を行う。
【００８１】
このとき受信するライセンスに関する情報とは、コンテンツ配信要求を送信した端末装置２を操作している利用者を特定するためのＩＤ及びパスワードと、その利用者が選択したコンテンツの種類を示す情報等からなる情報である。
【００８２】
（コンテンツ配信手段について）
また、制御部113は、コンテンツ配信手段として機能して、受信したコンテンツ配信要求に対応するコンテンツデータを第２の記憶部103から読出し、この読出したコンテンツデータを、システムバス112とネットワークインタフェース104とルータ10aとを介して端末装置２へ配信する処理を行う。
【００８３】
また、制御部113がコンテンツ配信手段として機能する際に、後述する決済条件判定手段により決済処理状況が決済条件を満たさないと判定されたとき、利用者へコンテンツ利用可能期間の継続に要する追加料金の支払（決済）を促すために、コンテンツ配信要求を送信した端末装置に対してコンテンツ配信要求に対応するコンテンツデータとは異なる決済処理促進用コンテンツデータを配信する処理を行うようにしている。
【００８４】
（決済処理状況取得手段について）
また、制御部113は、利用者側の端末装置２からコンテンツ配信要求を受信すると、決済処理状況取得手段として機能して、支払管理装置３へコンテンツ配信要求を送信した利用者の決済処理状況を要求して受信する処理を行う。
【００８５】
このとき受信する決済処理状況とは、コンテンツ配信要求を送信した利用者が、要求しているコンテンツに対する所定の料金を支払ったか否かの情報と、その利用者が所定の料金を支払った日時に関する情報を示す情報である。
【００８６】
（決済条件判定手段について）
また、制御部113は、利用者側の端末装置２からコンテンツ配信要求を受信すると、決済条件判定手段として機能して、取得した利用者の決済処理状況が決済条件を満たすか否かを判定する処理を行う。
【００８７】
このとき制御部113は、利用者の決済処理状況が決済処理条件を満たしていないと判定した場合、すなわち、コンテンツ配信要求を送信した利用者が要求したコンテンツに対する所定の料金を最初に支払ってから現在までの間に追加料金を支払っておらず、現在、最初の支払に対応したコンテンツ利用可能期間内でない、若しくは、コンテンツ配信要求を送信した利用者が要求したコンテンツに対する所定の料金を最初に支払ってから現在までの間に追加料金を支払っており、現在、支払った追加料金に対応したコンテンツ利用可能期間内でないと判定した場合に、コンテンツ配信手段として機能して、コンテンツ配信要求を送信した端末装置２に対し、コンテンツ配信要求に対応するコンテンツデータとは異なる決済処理促進用コンテンツデータを配信する処理を行うようにしている。
【００８８】
このように、端末装置２からのコンテンツ配信要求を受信した際に、決済条件判定手段により決済処理状況が決済条件を満たさないと判定された場合、制御部113は、コンテンツデータの配信を完全に禁止するのではなく、コンテンツ配信要求を送信した端末装置２へ決済処理促進用コンテンツデータを配信することにより、コンテンツ配信要求を送信した利用者に対して、コンテンツの利用可能期間の継続を積極的に促すことができ、その利用者に決済処理である追加料金の支払を促すことができるようにしている。
【００８９】
また、決済処理促進用コンテンツデータを生成する際に制御部113は、以下に説明する第１コンテンツ生成手段、第２コンテンツ生成手段として機能する。
【００９０】
（第１コンテンツ生成手段について）
第１コンテンツ生成手段として機能した際に制御部113は、コンテンツ配信要求に対応するコンテンツデータの一部のみを決済処理促進用コンテンツデータとして生成する処理を行うようにしている。
【００９１】
このように、第１コンテンツ生成手段により生成した一部のみ再生可能な決済処理促進用コンテンツデータを利用者側の端末装置２へ配信することにより、利用者は、全体を通してコンテンツを視聴したくなる。このとき、料金の支払いを促すメッセージを配信して、利用者に対してコンテンツの再生可能期間の継続を積極的に促すことができるようにしている。
【００９２】
（第２コンテンツ生成手段について）
また、第２コンテンツ生成手段として機能した際に制御部113は、コンテンツ配信要求に対応するコンテンツデータの再生品質を劣化させたコンテンツデータを決済処理促進用コンテンツデータとして生成する処理を行うようにしている。
【００９３】
このように、第２コンテンツ生成手段により生成した再生品質を劣化させた決済処理促進用コンテンツデータを利用者側の端末装置２へ配信することにより、利用者は、更に品質の高い正規のコンテンツを視聴したくなる。このとき、料金の支払いを促すメッセージを配信して、利用者に対してコンテンツの再生可能期間の継続を積極的に促すことができるようにしている。
【００９４】
また、コンテンツデータの再生品質を劣化させる際に、制御部113は、以下に説明する第１劣化手段、第２劣化手段、進行劣化手段という３つの劣化手段として機能し、それぞれことなる複数種類の決済処理促進用コンテンツデータを生成する処理を行うようにしている
（第１劣化手段について）
第１劣化手段として機能した際に制御部113は、配信制限記憶手段に記憶している配信可能期間の開始からの経過時間に応じて、段階的にコンテンツデータの再生品質の劣化度合いを高めるような処理を行うようにしている。
【００９５】
これにより、利用者に対して、利用可能期間を過ぎていることを認識させることができ、更には、再生品質の劣化度合いによって決済処理促進用コンテンツデータの再生が不可能となる時期が近づいていることを認識させることができる。このとき、料金の支払いを促すメッセージを配信して、コンテンツの利用可能期間の継続を更に積極的に促すことができるようにしている。
【００９６】
（第２劣化手段について）
また、第２劣化手段として機能した際に制御部113は、決済処理促進用コンテンツデータの配信回数の増加に応じて、段階的にコンテンツデータの前記再生品質の劣化度合いを高めるような処理を行うようにしている。
【００９７】
これにより、利用者に対して、利用可能期間を過ぎていることを認識させることができ、更には、再生品質の劣化度合いによって決済処理促進用コンテンツデータの再生が不可能となる回数が近づいていることを認識させることができる。このとき、料金の支払いを促すメッセージを配信して、コンテンツの利用可能期間の継続を更に積極的に促すことができるようにしている。
【００９８】
（進行劣化手段について）
また、進行劣化手段として機能した際に制御部113は、決済処理促進用コンテンツデータ再生の進行に伴って段階的にコンテンツデータの再生品質の劣化度合いを高めるような処理を行うようにしている。
【００９９】
これにより、決済処理促進用コンテンツデータを再生中に利用者へ、決済処理が行われていないことを認識させると共に、料金の支払いを促すメッセージを配信して、利用者に対してコンテンツの利用可能期間の継続を促し、積極的に決済処理を促すことができるようにしている。
【０１００】
（コンテンツ選択手段について）
また、この制御部113は、上記各手段により生成した複数種類の決済処理用コンテンツデータの中から１種類の決済処理促進用コンテンツデータを任意に選択するコンテンツ選択手段としても機能するものである。
【０１０１】
すなわち、この制御部113は、関連コンテンツ記憶手段に記憶しているお試し版データと、第１コンテンツ生成手段により生成した決済処理促進用コンテンツデータと、第２コンテンツ生成手段により生成した決済処理促進用コンテンツデータとのうちから、いずれか１つのコンテンツデータを任意に選択し、その選択したコンテンツデータを決済処理促進用コンテンツデータとして端末装置２へ配信する処理を行うようにしている。
【０１０２】
このように、複数種類の決済処理促進用コンテンツデータの中から任意に選択した決済処理促進用コンテンツデータを端末装置２へ配信すると共に、料金の支払いを促すメッセージを配信して、利用者の興趣をそぐことなく、コンテンツの利用可能期間の継続を積極的に促すことができるようにしている。
【０１０３】
〔１．３．端末装置の構成〕
次に、図３を参照して、利用者側の端末装置２の構成及び動作について説明する。
【０１０４】
図３は、第１実施形態における端末装置２の概略構成例を示す機能ブロック図である。端末装置２は、一般のパーソナルコンピュータを適用可能であり、図３に示すように、ＣＰＵ（Central Processing Unit）201と、各種プログラム等を記憶（格納）する書き換え可能な第１の記憶部202と、各種データ等を記憶するハードディスク装置等から構成された第２の記憶部203と、通信回線４を介してコンテンツ配信装置１や支払管理装置３との間で通信を行うネットワークインターフェイス204と、利用者が端末装置２を遠隔操作するために所定の赤外線信号を送信及び受信するリモコン205と、このリモコン205と赤外線により通信を行なうための赤外線ポート206と、赤外線ポート206を制御する周辺機器制御チップ207と、ＣＰＵ201からイメージデータを受け取り、内部のビデオメモリ（図示せず）に書き込むと共にこのビデオメモリに書き込んだデータを後述のディスプレイ209に表示するビデオチップ208と、ビデオチップ208から送信される信号に応じた表示を行うディスプレイ209と、ＦＭ音源(Frequency Modulation)やWave Table音源などの音源を有する音源チップ210と、音源チップ210から出力されるオーディオ信号を音波に変換するスピーカ211とを備えて構成され、これらの各種構成要素はシステムバス212を介して相互に接続されている。なお、本実施形態においては、ＣＰＵ201と第１の記憶部202とで制御部213を構成している。なお、ネットワークインターフェイス204は、ルータ10ｂを介して、通信回線４に接続されている。
【０１０５】
（第１の記憶部202について）
また、第１の記憶部202には、端末装置２のコンピュータとしての基本的な機能を提供するためのＯＳのプログラム220と、コンテンツ配信装置１から配信されるコンテンツデータを受信するための受信制御プログラム221と、受信したコンテンツデータを再生するための再生制御プログラム222と、ディスプレイ209を制御するための画面制御プログラム223等を記憶しており、これらはＣＰＵ201によって読み出され、ＣＰＵ201によってこれらのプログラムに従った機能が実行される。
【０１０６】
ここで、ＯＳプログラム220は、ＣＰＵ201によって読み出されて実行されることにより、リモコン205の入出力に関する機能や、第１の記憶部202や第２の記憶部203などのメモリ管理などの端末装置２であるコンピュータの基本的な機能を実行可能にするものである。そして、このＯＳプログラム220がＣＰＵ201によって実行された状態で、上述の受信制御プログラム221、再生制御プログラム222、画面制御プログラム223等が実行される。
【０１０７】
なお、ＯＳプログラム220、受信制御プログラム221、再生制御プログラム222、画面制御プログラム223等は、例えば、インターネットに接続されたサーバ等から第１の記憶部202にダウンロードされるようにしてもよく、又ＣＤ−ＲＯＭ等の記憶媒体に記録されてから当該記憶媒体のドライブを介して、第１の記憶部202に読み込まれるようにしてもよい。
【０１０８】
（制御部213について）
制御部213は、上述のようにＣＰＵ201と第１の記憶部202とから構成され、ＣＰＵ201が第１記憶部202に記憶された各種プログラム220〜223を読み出して実行することにより、端末装置２全体を統括制御するものである。
【０１０９】
〔１．４．支払管理装置の構成〕
図４は、第１実施形態における支払管理装置３の概略構成を示す機能ブロック図である。支払管理装置３は、一般のサーバコンピュータを適用可能であり、図４に示すように、ＣＰＵ（Central Processing Unit）301と、各種プログラム等を記憶（格納）する書き換え可能な第１の記憶部302と、各種データ等を記憶するＨＤＤ（Hard Disc Drive）等から構成された第２の記憶部303と、通信回線４を介してコンテンツ配信装置１や端末装置２、及び、図示しない金融機関の端末装置等との間で通信を行うネットワークインターフェイス304と、所定の情報を入力可能なキーボード305やマウス306等の入力部を制御する周辺機器制御チップ307と、ＣＰＵ301からイメージデータを受け取り、内部のビデオメモリ（図示せず）に書き込むと共にこのビデオメモリに書き込んだデータを後述のディスプレイ309に表示するビデオチップ308とを備えて構成され、これらの各種構成要素はシステムバス310を介して相互に接続されている。なお、本実施形態においては、ＣＰＵ301と第１の記憶部302と第２の記憶部303とで制御部312を構成している。なお、ネットワークインターフェイス304は、ルータ10cを介して、通信回線４に接続されている。
【０１１０】
（第１の記憶部302について）
また、第１記憶部302には、支払管理装置３のコンピュータとしての基本的な機能を提供するためのＯＳのプログラム320等を記憶しており、このＯＳプログラムはＣＰＵ301によって読み出され、ＣＰＵ301によってこれらのプログラムに従った機能が実行される。
【０１１１】
ここで、ＯＳプログラム320は、ＣＰＵ301によって読み出されて実行されることにより、キーボード305やマウス306の入出力に関する機能や、第１の記憶部302や第２の記憶部303などのメモリ管理などの支払管理装置３であるコンピュータの基本的な機能を実行可能にするものである。
【０１１２】
（第２の記憶部303について）
第２記憶部303には、各利用者が料金を支払ったか否かに関する情報や、料金を支払った日時に関する情報等からなる決済処理状況に関する情報を記憶している。なお、この決済処理状況に関する情報は、決済処理状況が変化する度に更新するようにしている。
【０１１３】
（制御部312について）
制御部312は、上述のようにＣＰＵ301と第１の記憶部302と第２の記憶部303から構成され、コンテンツ配信装置１から決済処理状況に関する情報の要求を受信すると、第２の記憶部303から最新の決済処理状況に関する情報をコンテンツ配信装置１へ送信する処理を行う他、決済処理状況の更新を行うために金融機関の端末装置との間で行う通信処理等、支払管理装置３全体を統括制御するものである。
【０１１４】
〔１．５．コンテンツ配信装置の動作プログラム〕
ここで、第１実施形態におけるコンテンツ配信装置１の動作プログラムについて説明する。このコンテンツ配信装置１の制御部113は、図５〜図９、及び、図１１〜図１９に示すフローチャートに従って制御を行う。なお、コンテンツ配信装置１の動作プログラムの説明中において、コンテンツ配信装置１の制御部113を単に制御部113と記載することとする。
【０１１５】
（メイン処理）
図５に示すように、メイン処理において制御部113は、電源がＯＮされると処理を開始し、このコンテンツ送信装置１のユーザによる操作が行われたか否かの判断を行い（ステップS215）、ユーザによる操作が行われたと判断した場合（ステップS215:Yes）に処理をステップS216へ移し、ユーザによる操作が行われていないと判断した場合（ステップS215:No）に処理をステップS217へ移す。
【０１１６】
ステップS216において制御部113は、ユーザによる操作が電源ＯＦＦの操作であるか否かの判断を行い、電源ＯＦＦの操作であると判断した場合（ステップS216:Yes）に電源をＯＦＦする処理（ステップS338）を行った後、このメイン処理を終了する。
【０１１７】
一方、制御部113は、ユーザによる操作が電源ＯＦＦの操作でないと判断した場合（ステップS216:No）には、その操作に対応したその他の処理（ステップS339）を行った後、処理をステップS215へ移す。
【０１１８】
ステップS217において制御部113は、配信要求受信手段として機能して、要求コマンドを受信したか否かの判断を行い、要求コマンドを受信したと判断した場合（ステップS217:Yes）に処理をステップS218へ移し、要求コマンドを受信していないと判断した場合（ステップS217:No）に処理をステップS215へ戻し、電源がＯＮである間、要求コマンドを受信するまで待機する。
【０１１９】
ステップS218において制御部218は、受信したコマンドがコンテンツ要求のコマンドであるか否かの判断を行い、コンテンツ要求のコマンドであると判断した場合（ステップS218:Yes）に処理をステップS219へ移し、コンテンツ要求のコマンドでないと判断した場合（ステップS218:No）に処理をステップS220へ移して、受信したコマンドに対応したその他の要求に対応した処理を行い、その後、処理をステップS215へ移す。
【０１２０】
ステップS220で制御部113が行うその他の要求処理としては、例えば、初めて要求コマンドを送信してきた利用者に対して、利用者自身の住所、氏名、電話番号、クレジットカード番号等の個人情報を要求する処理を行い、個人情報を受信するとその情報をライセンスに関する情報として第２の記憶部103に記憶すると共に、利用者側の端末装置２へライセンスとしてのＩＤ及びパスワードを送信する処理などを行う。
【０１２１】
なお、ステップS218の処理を行う際に制御部113は、同時に、第２の記憶部103を参照して、この要求コマンドを送信した利用者が初めて要求コマンドを送信してきた利用者か、若しくは、以前に要求コマンドを送信した履歴がある利用者であってコンテンツの配信を要求している利用者であるのかを判断するようにしている。
【０１２２】
ステップS219において制御部113は、図６に示すコンテンツ送信処理を行い、その後、処理をステップS215へ移す。
【０１２３】
（コンテンツ送信処理）
このコンテンツ送信処理は、図５に示すステップS219で行う処理であり、制御部113が図６に示すフローチャートに従って行うものである。
【０１２４】
図６に示すように、コンテンツ送信処理において制御部113は、まず決済処理状況取得手段として機能して決済処理状況取得処理を行い（ステップS221）、その後、処理をステップS222へ移す。
【０１２５】
このとき制御部113は、支払管理装置３に対して、要求コマンドを送信した利用者が支払（コンテンツ利用に対する決済）を行っているか否かの情報と、利用者が支払いを行っていた場合には、その支払日時に関する情報を要求して受信する処理を行う。
【０１２６】
ステップS222において制御部113は、決済条件判定手段として機能して、支払管理装置３から受信した利用者の決済処理状況が決済条件を満たしているか否かの判断を行う。
【０１２７】
このとき、制御部113は、ステップS221の処理により取得した決済処理状況を参照して、要求コマンドを送信した利用者が要求したコンテンツに対する所定の料金を最初に支払ってから現在までの間に追加料金を支払っておらず、現在、最初の支払に対応したコンテンツ利用可能期間内でない、若しくは、要求コマンドを送信した利用者が要求したコンテンツに対する所定の料金を最初に支払ってから現在までの間に追加料金を支払っており、現在、支払った追加料金に対応したコンテンツ利用可能期間内でないと判定した場合に、決済条件を満たしていないと判断するようにしている。つまり、利用者が支払った料金に対応するコンテンツ利用可能期間内に、現在の日時が含まれているか否かを判断する。
【０１２８】
そして、決済条件を満たすと判断した場合（ステップS222:Yes）に処理をステップS227へ移し、決済条件を満たさないと判断した場合（ステップS222:No）に処理をステップS223へ移す。
【０１２９】
ステップS227において制御部113はコンテンツデータ送信処理を行った後、コンテンツ送信処理を終了し、その後、処理を図５に示すステップS215へ移す。
【０１３０】
また、ステップS223において制御部113は、図７及び図８に示す再生可否判断処理を行った後、処理をステップS224へ移す。
【０１３１】
ステップS224において制御部113は、再生不可フラグがセットされているか否かの判断を行う。この再生不可フラグは、後述する再生可否判断処理においてセット若しくは解除されるものであり、第２の記憶部103内部の所定領域にセットされるものである。
【０１３２】
そして、制御部113は再生不可フラグがセットされていると判断した場合（ステップS224:Yes）に処理をステップS225へ移し、再生不可フラグがセットされていないと判断した場合（ステップS224:No）に処理をステップS226へ移す。
【０１３３】
ステップS225において制御部113は、利用者側の端末装置２へ再生不可情報を送信し、その後、このコンテンツ送信処理を終了して処理を図５に示すステップS215へ移す。
【０１３４】
ステップS226において制御部113は、図９に示す視聴制限処理を行った後、ステップS227の処理を行い、その後、コンテンツ送信処理を終了して処理を図５に示すステップS215へ移す。
【０１３５】
（再生可否判断処理）
この再生可否判断処理は、図６に示すS223で行う処理であり、制御部113が図７及び図８に示すフローチャートに従って行うものである。
【０１３６】
図７及び図８に示すように、再生可否判断処理において制御部113は、第２の記憶部103に再生不可フラグがセットされている場合には、その再生不可フラグを解除する処理を行い（ステップS228）、その後、処理をステップS229へ移す。
【０１３７】
ここで、再生不可フラグとは、コンテンツ配信装置１から端末装置２へ決済処理促進用コンテンツデータを送信するか否かを示すものであり、再生不可フラグがセットされている状態は、決済処理促進用コンテンツデータの送信を禁止している状態を示しており、再生不可フラグが解除されている状態は決済処理促進用コンテンツデータを送信可能な状態であることを示している。
【０１３８】
ステップS229において制御部113は、再生可能猶予モードを取得する処理を行い、その後、処理をステップS230へ移す。
【０１３９】
このコンテンツ配信装置１は、再生可能猶予モードとして、期間猶予モードと、期間内での回数猶予モードと、回数猶予モードとの３種類のモードを備えている。
【０１４０】
ここで、期間猶予モードとは、決済処理促進用コンテンツデータを配信可能な最長の期間（以下、「ＭＡＸ期間」という。）を予め設定しておき、このＭＡＸ期間の間に限り、決済促進用コンテンツデータを端末装置２へ配信することができる再生可能猶予モードのことである。
【０１４１】
また、期間内での回数猶予モードとは、ＭＡＸ期間内で決済処理促進用コンテンツデータを配信可能な最大回数（以下、「ＭＡＸ回数」という。）を予め設定しておき、ＭＡＸ期間内でＭＡＸ回数に限り決済処理促進用コンテンツデータを端末装置２へ配信することができる再生可能猶予モードのことである。
【０１４２】
また、回数猶予モードとは、ＭＡＸ回数に限り決済処理促進用コンテンツデータを端末装置２へ配信することができる再生可能猶予モードのことである。
【０１４３】
そして、制御部113は、第２の記憶部103に記憶している配信制限情報を参照するとともに、第１の記憶部102に記憶している再生制限制御プログラムを実行することにより、これら３種類の各再生可能猶予モードを実現するようにしている。
【０１４４】
ステップS230において制御部113は、ステップS229の処理により取得した再生可能猶予モードが期間猶予モードであるか否かの判断を行い、期間猶予モードであると判断した場合（ステップS230:Yes）に処理をステップS231に移し、期間猶予モードでないと判断した場合（ステップS230:No）に処理をステップS237へ移す。
【０１４５】
ステップS231において制御部113は、ＭＡＸ期間に関する情報を取得して、第２の記憶部103の所定領域にＭＡＸ期間を示す変数としてaを設定し、その後、処理をステップS232へ移す。
【０１４６】
ステップS232において制御部113は、制限開始から経過した時間、すなわち、決済条件判定手段により決済条件を満たしていないと判定した時点から要求コマンドを受信した時点までの時間を示す変数としてbを第２の記憶部103の所定領域に設定し、処理をステップS233へ移す。
【０１４７】
ステップS233において制御部113は、変数aと変数bとを比較し、a＞bであるか否かの判断を行う。ここで、制御部113は、a＞bであると判断した場合（ステップS233:Yes）に再生不可フラグをセットすることなく処理をステップS234へ移し、a＞bでないと判断した場合（ステップS233:No）に、第２の記憶部103の所定領域に再生不可フラグをセットし（ステップS235）、その後、処理をステップS234へ移す。
【０１４８】
ステップS234において制御部113は、視聴制限後の経過時間測定（変数bの更新処理）が開始されているか否かの判断を行い、変数bの更新処理が開始されていないと判断した場合（ステップS234:No）に変数bの更新処理を開始する処理（ステップS236）を行って、この再生可否判断処理を終了し、変数bの更新処理が開始されていると判断した場合（ステップS234:Yes）に、この再生可否判断処理を終了して処理を図６にしめすステップS224へ移す。
【０１４９】
また、ステップS237において制御部113は、ステップS229の処理により取得した再生可能猶予モードが期間内での回数猶予モードであるか否かの判断を行い、期間内での回数猶予モードであると判断した場合（ステップS237:Yes）に処理をステップS238へ移し、期間内での回数猶予モードでないと判断した場合（ステップS237:No）に処理をステップS245へ移す。
【０１５０】
ステップS238において制御部113は、ＭＡＸ期間に関する情報を取得して、第２の記憶部103の所定領域にＭＡＸ期間を示す変数としてaを設定し、その後、処理をステップS239へ移す。
【０１５１】
ステップS239において制御部113は、制限開始から経過した時間、すなわち、決済条件判定手段により決済条件を満たしていないと判定した時点から要求コマンドを受信した時点までの時間を示す変数としてbを第２の記憶部103の所定領域に設定し、処理をステップS240へ移す。
【０１５２】
ステップS240において制御部113は、変数aと変数bとを比較し、a＞bであるか否かの判断を行う。ここで、制御部113は、a＞bであると判断した場合（ステップS240:Yes）に再生不可フラグをセットすることなく処理をステップS241へ移し、a＞bでないと判断した場合（ステップS240:No）に、第２の記憶部103の所定領域に再生不可フラグをセットし（ステップS244）、その後、処理をステップS234へ移す。
【０１５３】
ステップS241において制御部113は、ＭＡＸ回数に関する情報を取得して、第２の記憶部103の所定領域にＭＡＸ回数を示す変数としてcを設定し、その後、処理をステップS242へ移す。
【０１５４】
ステップS242において制御部113は、制限開始からの再生回数、すなわち、決済処理促進用コンテンツデータの配信回数変数を示す変数としてdを第２の記憶部103の所定領域に設定し、処理をステップS243へ移す。
【０１５５】
ステップS243において制御部113は、変数cと変数dとを比較し、c＞dであるか否かの判断を行う。ここで、制御部113は、c＞dであると判断した場合（ステップS243:Yes）に再生不可フラグをセットすることなく処理をステップS234へ移し、c＞dでないと判断した場合（ステップS243:No）に、第２の記憶部103の所定領域に再生不可フラグをセットし（ステップS244）、その後、処理をステップS234へ移す。
【０１５６】
また、ステップS245において制御部113は、ステップS229の処理により取得した再生可能猶予モードが回数猶予モードであるか否かの判断を行い、回数猶予モードであると判断した場合（ステップS245:Yes）に処理をステップS246へ移し、回数猶予モードでないと判断した場合（ステップS245:No）に処理をステップS249へ移す。
【０１５７】
ステップS249において制御部113は、再生可能猶予モードを期間猶予モードに設定する処理を行った後、処理をステップS230へ移す。
【０１５８】
ステップS246において制御部113は、ＭＡＸ回数に関する情報を取得して、第２の記憶部103の所定領域にＭＡＸ回数を示す変数としてcを設定し、その後、処理をステップS247へ移す。
【０１５９】
ステップS247において制御部113は、制限開始からの再生回数、すなわち、決済処理促進用コンテンツデータの配信回数を示す変数としてdを第２の記憶部103の所定領域に設定し、処理をステップS248へ移す。
【０１６０】
ステップS248において制御部113は、変数cと変数dとを比較し、c＞dであるか否かの判断を行う。ここで、制御部113は、c＞dであると判断した場合（ステップS248:Yes）に再生不可フラグをセットすることなく、この再生可否判断処理を終了し、その後、処理を図６に示すステップS224へ移す。
【０１６１】
また、c＞dでないと判断した場合（ステップS248:No）に制御部113は、第２の記憶部103の所定領域に再生不可フラグをセットする処理（ステップS250）を行った後、この再生可否判断処理を終了し、その後、処理を図６に示すステップS224へ移す。
【０１６２】
（視聴制限処理）
この視聴制限処理は、図６に示すステップS226で行う処理であり、制御部113が図９に示すフローチャートに従って行うものである。
【０１６３】
図９に示すように、視聴制限処理において制御部113は、制限モード情報を取得する処理を行う（ステップS251）。
【０１６４】
ここで、コンテンツ配信装置１は、コンテンツデータに視聴制限を施すための複数種類の制限モードを備えており、具体的には、図１０に示すように、その制限モードは大別して、お試し版モードと、一定劣化モードと、フェードアウトモードと、ランダムモードとの４種類の分けることができる。なお、これらの制限モードからどの制限モードを選択するのかは、このコンテンツ配信システムＳを運営している運営者側が決定するようにしている。
【０１６５】
ここで、お試し版モードとは、制御部113がコンテンツ選択手段として機能し、第２の記憶部103に記憶しているお試し版データを決済処理促進用コンテンツデータとして選択して、端末装置２へ配信する制限モードのことである。
【０１６６】
また、一定劣化モードとは、制御部113が第１コンテンツ生成手段、又は、第２コンテンツ生成手段として機能して、コンテンツデータに対して常に一定度合いの再生制限を施し、この一定度合いの再生制限を施したコンテンツデータを決済処理促進用コンテンツデータとして端末装置２へ配信する制限モードのことである。
【０１６７】
この一定劣化モードには、図１０に示すように、音質劣化モードと、部分劣化モードとがあり、音質劣化モードとは、コンテンツデータに再生時の音質を劣化させる再生制限を行うモードであり、部分劣化モードとは、コンテンツデータに一部分のみを再生可能とする再生制限を行うモードである。
【０１６８】
さらに、ここでの音質劣化モードには、ノーマル劣化モードと、進行劣化モードとがあり、一定劣化モードにおけるノーマル劣化モードとは、決済処理促進用コンテンツデータの再生期間及び再生回数に関係なく、決済処理促進用コンテンツデータを再生する際に、音質の劣化レベルが毎回同一のレベルとなるように視聴制限を行うモードである。
【０１６９】
一方、一定劣化モードにおける進行劣化モードとは、決済促進用コンテンツデータ再生期間及び再生回数に関係なく、決済処理促進用コンテンツデータの再生を開始する際に、常に所定の音質の劣化レベルから再生を開始させ、決済促進用コンテンツデータの再生中に、再生時間が経過するにつれて段階的に音質の劣化レベルを高めていく制限モードである。
【０１７０】
また、部分劣化モードには、所定時間モードと、ランダム再生モードと、前奏モードと、サビモードと、サビ前モードとがある。
【０１７１】
一定劣化モードにおける所定時間モードとは、コンテンツデータの先頭から所定時間部分のみを再生可能とした決済処理促進用コンテンツデータを生成するモードである。
【０１７２】
また、ランダム再生モードとは、コンテンツデータのうちランダムに選択した所定開始位置から、所定時間部分のみを再生可能とした決済処理促進用コンテンツデータを生成するモードである。
【０１７３】
また、前奏モードとは、配信するコンテンツが楽曲である場合に、コンテンツの前奏部分のみを再生可能とした決済処理促進用コンテンツデータを生成するモードであり、配信するコンテンツが映像（映画、ドラマ）である場合に、コンテンツの序章部分のみを再生可能とした決済処理促進用コンテンツデータを生成するモードである。
【０１７４】
また、サビモードとは、配信するコンテンツが楽曲である場合に、コンテンツのサビ部分のみを再生可能とした決済処理促進用コンテンツデータを生成するモードであり、配信するコンテンツが映像（映画、ドラマ）である場合に、コンテンツのクライマックス部分のみを再生可能とした決済処理促進用コンテンツデータを生成するモードである。
【０１７５】
また、サビ前モードとは、配信するコンテンツが楽曲である場合に、コンテンツのサビ部分の前までのみを再生可能とした決済処理促進用コンテンツデータを生成するモードであり、配信するコンテンツが映像（映画、ドラマ）である場合に、コンテンツのクライマックス部分の前までのみを再生可能とした決済処理促進用コンテンツデータを生成するモードである。
【０１７６】
また、フェードアウトモードとは、制御部113が第１コンテンツ生成手段、又は、第２コンテンツ生成手段として機能し、さらに、第１劣化手段、第２劣化手段、進行劣化手段のうちのいずれか１つの手段として機能することにより、コンテンツデータに対して段階的に制限レベルの度合いを高める再生制限を施し、この再生制限を施したコンテンツデータを決済処理促進用コンテンツデータとして端末装置２へ配信する制限モードのことである。
【０１７７】
このフェードアウトモードには、図１０に示すように、音質劣化モードと、部分劣化モードとがあり、さらに、このフェードアウトモードにおける音質劣化モードにも、ノーマル劣化モードと、進行劣化モードとがある。
【０１７８】
フェードアウトモードにおけるノーマル劣化モードとは、決済処理促進用コンテンツデータの再生中には、所定の音質の劣化レベルで再生させるが、次回、決済処理促進用コンテンツデータを再生させる際には、前回よりも音質の劣化レベルを高め、その音質の劣化レベルを維持した状態で再生可能な決済処理促進用コンテンツデータを生成するモードである。  また、フェードアウトモードにおける進行劣化モードとは、決済処理促進用コンテンツデータの再生中に、処理時間経過する毎に音質の劣化レベルを段階的に高め、さらに、次回決済処理促進用コンテンツデータを再生させる際には、音質の劣化レベルを前回の再生終了時よりも高めた状態から開始させる決済処理促進用コンテンツデータを生成するモードである。
【０１７９】
また、フェードアウトモードにおける所定時間モードとは、コンテンツデータの先頭から所定時間部分のみを再生可能とした決済処理促進用コンテンツデータを生成するモードであるが、次回決済処理促進用コンテンツデータを再生する際には、前回再生したときよりも再生時間を短くした決済処理用コンテンツデータを生成するモードである。
【０１８０】
また、フェードアウトモードにおけるランダム再生モードとは、コンテンツデータのうちランダムに選択した所定開始位置から、所定時間部分のみを再生可能とした決済処理促進用コンテンツデータを生成するモードであるが、次回決済処理促進用コンテンツデータを再生する際には、前回再生したときよりも再生時間を短くした決済処理用コンテンツデータを生成するモードである。
【０１８１】
また、ランダムモードとは、制御部113がコンテンツ選択手段として機能して、上記したお試し版モード、フェードアウトモード、一定劣化モードの中から１つの制限モードを任意に選択し、この任意に選択した制限モードにおける決済処理促進用コンテンツデータを端末装置２へ配信する制限モードのことであり、しかも、このランダムモードでは、後述する複数種類の制限方法と、複数種類の制限手段との中から任意に選択した制限方法、又は、任意に選択した制限手段により、端末装置２へ送信する決済処理促進用コンテンツデータを生成するようにしている。
【０１８２】
制御部113は、第１記憶部102に記憶している再生制限制御プログラム122を読み出して実行することにより、これら４種類の各制限モードを実現するようにしている。
【０１８３】
そして、ステップS252において制御部113は、ステップS251の処理により取得した制限モードを解析する処理を行い、その後、処理をステップS253へ移す。
【０１８４】
ステップS253において制御部113は、取得した制限モードがお試し版モードであるか否かの判断を行い、お試し版モードであると判断した場合（ステップS254:Yes）に処理をステップS254へ移し、お試し版モードでないと判断した場合（ステップS254:No）に処理をステップS255へ移す。
【０１８５】
ステップS254において制御部113は、端末装置２へ送信するコンテンツをお試し版データとする処理を行った後、処理をステップS342へ移す。
【０１８６】
ステップS255において制御部113は、取得した制限モードがランダムモードであるか否かの判断を行い、ランダムモードであると判断した場合（ステップS255:Yes）に処理をステップS256へ移し、ランダムモードでないと判断した場合（ステップS255:No）に処理をステップS257へ移す。
【０１８７】
ステップS256において制御部113は、図１１に示すランダムモード制限データ作成処理を行った後、処理をステップS342へ移す。
【０１８８】
ステップS257において制御部113は、取得した制限モードがフェードアウトモードであるか否かの判断を行い、フェードアウトモードであると判断した場合（ステップS257:Yes）に処理をステップS258へ移し、フェードアウトモードでないと判断した場合（ステップS257:No）に処理をステップS259へ移す。
【０１８９】
ステップS258において制御部113は、図１２に示すフェードアウトモード制限データ作成処理を行った後、再生データを制限データ（決済処理促進用コンテンツデータ）とする処理（S340）を行い、その後、この視聴制限処理を終了して処理を図６に示すステップS227へ移す。
【０１９０】
ステップS259において制御部113は、取得した制限モードが一定劣化モードであるか否かの判断を行い、一定劣化モードであると判断した場合ステップS259:Yes）に処理をステップS260へ移し、一定劣化モードでないと判断した場合ステップS259:No）に、再生データを制限データ（決済処理促進用コンテンツデータ）とする処理（S340）を行い、その後、この視聴制限処理を終了して処理を図６に示すステップS227へ移す。
【０１９１】
また、ステップS259では、通常であればYesとなるが、エラーによりステップS259がNoとなる場合がある。ステップS259においてNoとなった場合には、エラーであることを利用者に出力するようにしてもよい。
【０１９２】
尚、上記のようなステップは、他に、S275、S286、S288、S294、S312、S310、S316、S331、S336、S48、S87、S98、S135、S133、S141、S165、S173、にて行われる。また、S286にてNoの場合にはS282、に移行するのではなく、そのフローを終了しても良い。S98にてNoの場合にはS94に移行するのではなく、そのフローを終了しても良い。
【０１９３】
ステップS260において制御部113は、図１３に示す一定劣化モード制限データ作成処理を行った後、再生データを制限データ（決済処理促進用コンテンツデータ）とする処理（S340）を行った後、処理をステップS341へ移す。
【０１９４】
ステップS342において制御部113は、各制限モードによって生成された決済処理促進用コンテンツデータに、当該決済処理用コンテンツデータが視聴制限されているものである旨を示す視聴制限コメントを付加する処理を行う。
【０１９５】
具体的には、決済処理用コンテンツデータが音声データである場合に、「このコンテンツは視聴制限されています」という音声データを付加し、決済処理促進用コンテンツデータが画像データである場合に、「このコンテンツは視聴制限されています」という文字データを付加する処理を行う。
【０１９６】
そして、制御部113は、この視聴制限コメント付加処理（ステップS341）を行った後、この視聴制限処理を終了して処理を図６に示すステップS227へ移す。
【０１９７】
（ランダムモード制限データ作成処理）
このランダムモード制限データ作成処理は、図９に示すステップS256で行う処理であり、制御部113がコンテンツ選択手段として機能して、図１１に示すフローチャートに従って行うものである。
【０１９８】
図１１に示すように、ランダムモード制限データ作成処理において制御部113は、複数種類の制限モードからランダムに制限モードを選択する処理を行い（ステップS261）、その後、処理をステップS262へ移す。
【０１９９】
ステップS262において制御部113は、ランダムに選択した制御モードがランダムモードであるか否かの判断を行い、ランダムモードであると判断した場合（ステップS262:Yes）に処理をステップS261へ移し、ランダムモードでないと判断した場合（ステップS262:No）に処理をステップS263へ移す。
【０２００】
ステップS263において制御部113は、選択した制限モードがフェードアウトモードであるか否かの判断を行い、フェードアウトモードであると判断した場合（ステップS263:Yes）に処理をステップS264へ移し、フェードアウトモードでないと判断した場合（ステップS263:No）に処理をステップS270へ移す。
【０２０１】
ステップS264において制御部113は、制限モードを取得したモードに更新する処理を行った後、複数種類の制限手段からランダムに手段を選択する処理を行い（ステップS265）、その後、制限手段を選択した制限手段に更新する処理を行って（ステップS266）、処理をステップS267へ移す。
【０２０２】
ここで、コンテンツ配信装置１は、制限手段として、期間制限手段と回数制限手段との２種類の制限手段を備えている。
【０２０３】
ここでいう期間制限手段とは、制御部113が第１劣化手段として機能し、決済処理促進用コンテンツデータの配信可能期間の開始からの経過時間に応じて、段階的に再生品質の劣化の度合いを高める処理を行うものである。この配信可能期間を示す情報は、利用者ごとに記憶しておく必要があるため、その利用者の端末装置２が備えている第２の記憶部203に記憶させるようにしている。
【０２０４】
また、回数制限手段とは、制御手段113が第２劣化手段として機能して、決済処理促進用コンテンツデータの配信回数の増加に応じて、段階的に再生品質の劣化の度合いを高める処理を行うものである。この配信可能回数を示す情報は、利用者ごとに記憶しておく必要があるため、その利用者の端末装置２が備えている第２の記憶部203に記憶させるようにしている。
【０２０５】
ステップS267において制御手段113は、複数種類の制限方法からランダムに方法を選択する処理を行った後、選択した制限方法に更新する処理を行い（ステップS268）、その後、処理をステップS269へ移す。
【０２０６】
ここで、コンテンツ配信装置１は、制限方法として、部分制限方法と品質制限方法との２種類の制限方法を備えている。
【０２０７】
ここでいう部分制限方法とは、制御部113が第１コンテンツ生成手段として機能して、コンテンツデータの一部を決済処理促進用コンテンツデータとして生成する方法である。
【０２０８】
また、品質制限方法とは、制御部113が第２コンテンツ生成手段として機能して、コンテンツデータの再生品質を劣化させたコンテンツデータを決済処理促進用コンテンツデータとして生成する方法である。なお、本実施形態ではこの品質制限方法の具体例として、コンテンツデータの音質を劣化させる音質制限方法を品質制限方法として用いることとする。
【０２０９】
ステップS269において制御部113は、図１２に示すフェードアウトモード制限データ作成処理を行った後、このランダムモード制限データ作成処理を終了して処理を図６に示すステップS227へ移す。
【０２１０】
また、ステップS270において制御部113は、選択した制限モードが一定劣化モードであるか否かの判断を行い、一定劣化モードであると判断した場合（ステップS270:Yes）に処理をステップS271へ移し、一定劣化モードでないと判断した場合（ステップS270:No）に処理をステップS275へ移す。
【０２１１】
ステップS271において制御部113は、制限モードを取得したモードに更新する処理を行った後、複数種類の制限方法からランダムに方法を選択する処理を行い（ステップS272）、その後、制限方法を選択した制限方法に更新する処理を行って（ステップS273）、処理をステップS274へ移す。
【０２１２】
ステップS274において制御部113は、図１３に示す一定劣化モード制限データ作成処理を行った後、このランダムモード制限データ作成処理を終了して処理を図６に示すステップS227へ移す。
【０２１３】
また、ステップS275において制御部113は、選択した制限モードがお試し版モードであるか否かの判断を行い、お試し版モードであると判断した場合（ステップS275:Yes）に処理をステップS276へ移し、お試し版モードでないと判断した場合（ステップS275:No）に、このランダムモード制限データ作成処理を終了して処理を図６に示すステップS227へ移す。
【０２１４】
ステップS276において制御部113は、制限モードを取得したモードに更新する処理を行った後、端末装置２へ送信するコンテンツをお試し版データとする処理を行い（ステップS277）、その後、このランダムモード制限データ作成処理を終了して処理を図６に示すステップS227へ移す。
【０２１５】
（フェードアウトモード制限データ作成処理）
このフェードアウトモード制限データ作成処理は、図９に示すステップS258、及び、図１１に示すステップS269で行う処理であり、制御部113が図１２に示すフローチャートに従って行うものである。
【０２１６】
図１２に示すように、フェードアウトモード制限データ作成処理において制御部113は、制限手段に関する情報を取得する処理（ステップS278）を行った後、取得した制限手段に関する情報から制限手段を解析する処理（ステップS279）を行い、その後、処理をステップS280へ移す。
【０２１７】
ステップS280において制御部113は、ステップS279における解析の結果、制限手段が回数制限手段であるか否かの判断を行い、回数制限手段であると判断した場合（ステップS280:Yes）に処理をステップS281へ移し、回数制限手段でないと判断した場合（ステップS280:No）に処理をステップS286へ移す。
【０２１８】
ステップS281において制御部113は、第２劣化手段として機能して、図１４に示す回数制限処理を行った後、処理をステップS282へ移す。
【０２１９】
また、ステップS286において制御部113は、制限手段が期間制限手段であるか否かの判断を行い、期間制限手段であると判断した場合（ステップS286:Yes）に処理をステップS287へ移し、期間制限でないと判断した場合（ステップS286:No）に処理をステップS282へ移す。
【０２２０】
ステップS287において制御部113は、第２劣化手段として機能して、図１５に示す期間制限処理を行った後、処理をステップS282へ移す。
【０２２１】
ステップS282において制御部113は、制限方法に関する情報を取得する処理を行った後、取得した制限方法を解析する処理を行い（ステップS283）、その後、処理をステップS284へ移す。
【０２２２】
ステップS284において制御部113は、ステップS283における解析の結果、制限方法が音質制限方法であるか否かの判断を行い、音質制限方法であると判断した場合（ステップS284:Yes）に処理をステップS285へ移し、音質制限方法でないと判断した場合（ステップS284:No）に処理をステップS288へ移す。
【０２２３】
ステップS285において制御部113は、図１６及び図１７に示す音質制限処理を行った後、このフェードアウトモード制限データ作成処理を終了して処理を図６に示すステップS227へ移す。
【０２２４】
また、ステップS288において制御部113は、制限方法が部分制限方法であるか否かの判断を行い、部分制限方法であると判断した場合（ステップS288:Yes）に処理をステップS289へ移し、部分制限方法でないと判断した場合（ステップS288:No）に、このフェードアウトモード制限データ作成処理を終了して処理を図６に示すステップS227へ移す。
【０２２５】
ステップS289において制御部113は、図１８に示す部分制限処理を行った後、このフェードアウトモード制限データ作成処理を終了して処理を図６に示すステップS227へ移す。
【０２２６】
（一定劣化モード制限データ作成処理）
この一定劣化モード制限データ作成処理は、図９に示すステップS260、及び、図１１に示すステップS274で行う処理であり、制御部113が図１３に示すフローチャートに従って行うものである。
【０２２７】
図１３に示すように、一定劣化モード制限データ作成処理において制御部113は、制限方法に関する情報を取得する処理（ステップS290）を行った後、取得した制限方法を解析する処理を行い（ステップS291）、その後、処理をステップS292へ移す。
【０２２８】
ステップS292において制御部113は、ステップS291における解析の結果、制限方法が音質制限方法であるか否かの判断を行い、音質制限方法であると判断した場合（ステップS292:Yes）に処理をステップS293へ移し、音質制限方法でないと判断した場合（ステップS292:No）に処理をステップS294へ移す。
【０２２９】
ステップS293において制御部113は、図１６及び図１７に示す音質制限処理を行った後、この一定劣化モード制限データ作成処理を終了して処理を図６に示すステップS227へ移す。
【０２３０】
また、ステップS294において制御部113は、制限方法が部分制限方法であるか否かの判断を行い、部分制限方法であると判断した場合（ステップS294:Yes）に処理をステップS295へ移し、部分制限方法でないと判断した場合（ステップS294:No）に、この一定劣化モード制限データ作成処理を終了して処理を図６に示すステップS227へ移す。
【０２３１】
ステップS295において制御部113は、図１８に示す部分制限処理を行った後、この一定劣化モード制限データ作成処理を終了して処理を図６に示すステップS227へ移す。
【０２３２】
（回数制限処理）
この回数制限処理は、図１２に示すステップS281で行う処理であり、制御部113が第２劣化手段として機能して、図１４に示すフローチャートに従って行うものである。
【０２３３】
図１４に示すように、回数制限処理において制御部113は、レベルＵＰに必要な回数を取得し変数をfに設定する処理（ステップS298）を行った後、処理をステップS299へ移す。すなわち、制御部113はコンテンツデータの再生品質を劣化させる度合いを高めるために必要な決済処理促進用コンテンツデータの配信回数を取得し、取得した配信回数を示す変数fを、第２の記憶部103の所定領域内に設定する処理を行った後、処理をステップS299へ移すようにしている。
【０２３４】
ステップS299において制御部113は、図７に示すステップS247、及び、図８に示すステップS242で設定した変数dを、ステップS298で設定した変数fで割り、その結果を制限レベルとして設定する処理を行い、その後、この回数制限処理を終了して処理を図１２に示すステップS282へ移す。
【０２３５】
（期間制限処理）
この期間制限処理は、図１２に示すステップS287で行う処理であり、制御部113が第１劣化手段として機能して、図１５に示すフローチャートに従って行うものである。
【０２３６】
図１５に示すように、期間制限処理において制御部113は、レベルＵＰに必要な期間を取得し変数をeに設定する処理（ステップS296）を行った後、処理をステップS297へ移す。すなわち、制御部113はコンテンツデータの再生品質を劣化させる度合いを高めるために必要な決済処理促進用コンテンツデータの配信期間を取得し、取得した配信期間を示す変数eを、第２の記憶部103の所定領域内に設定する処理を行った後、処理をステップS297へ移すようにしている。
【０２３７】
ステップS297において制御部113は、図７に示すステップS232、及び、ステップS239で設定した変数bを、ステップS296で設定した変数eで割り、その結果を制限レベルとして設定する処理を行い、その後、この回数制限処理を終了して処理を図１２に示すステップS282へ移す。
【０２３８】
（音質制限処理）
この音質制限処理は、図１２に示すステップS285、及び、図１３に示すステップS293で行う処理であり、制御部113が第２コンテンツ生成手段として機能して、図１６及び図１７に示すフローチャートに従って行うものである。
【０２３９】
図１６及び図１７に示すように、音質制限処理において制御部113は、音質制限モードを取得する処理（ステップS300）を行った後、取得した音質制限モードを解析する処理を行い（ステップS301）、その後、処理をステップS302へ移す。
【０２４０】
ステップS302において制御部113は、ステップS301における解析の結果、音質制限モードが進行劣化モードであるか否かの判断を行い、進行劣化モードであると判断した場合（ステップS302:Yes）に処理をステップS303へ移し、進行劣化モードでないと判断した場合（ステップS302:No）に処理をステップS312へ移す。
【０２４１】
ここでいう進行劣化モードとは、コンテンツの再生中に、再生時間が進行するにつれて、コンテンツの音質劣化レベルを段階的に高めていくモードのことである。
【０２４２】
ステップS303において制御部113は、劣化レベルＵＰ間隔情報を取得した後、処理をステップ304へ移す。このとき、制御部113は、進行劣化手段として機能して、決済処理促進用コンテンツデータの再生中に３０秒が経過する毎に音質の劣化レベルを高めるように設定を行う。
【０２４３】
ステップS304において制御部113は、進行劣化モードにおけるフェードアウトモードであるか否かの判断を行い、フェードアウトモードであると判断した場合（ステップS304:Yes）に処理をステップS305へ移し、フェードアウトモードでないと判断した場合（ステップS304:No）に処理をステップS310へ移す。
【０２４４】
ステップS305において制御部113は、フェードアウトモード処理内で設定した劣化レベルを初期値とし、その値を音質劣化レベルに設定する処理を行った後、処理をステップS306へ移す。すなわち、制御部113は、前回の決済処理促進用コンテンツデータ再生終了時の音質劣化レベルを初期劣化レベルとして設定する処理を行った後、ステップS306の処理を行う。
【０２４５】
ステップS310において制御部113は、進行劣化モードにおける一定劣化モードであるか否かの判断を行い、一定劣化モードであると判断した場合（ステップS310:Yes）に処理をステップS311へ移し、一定劣化モードでないと判断した場合（ステップS310:No）に、この音質制限処理を終了して処理を図６に示すステップS227へ移す。
【０２４６】
ステップS311において制御部113は、初期値を０とし、その値を音質劣化レベルに設定する。すなわち、制御部113は、次回に決済処理促進用コンテンツデータを再生する際に、最初の３０秒間は音質劣化のないコンテンツデータを再生させるように設定する処理を行う。
【０２４７】
ステップS306において制御部311は、劣化レベルＵＰ分のデータに劣化レベルに応じた音質劣化処理を施した後、処理をステップＳ307へ移す。すなわち、このステップＳ306において制御部113は、前回配信した決済処理促進用データの再生終了時における音質劣化レベルよりも高い音質劣化レベルとなるようにコンテンツデータに対して音質劣化処理を施すようにしている。
【０２４８】
ステップS307において制御部113は、音質劣化処理を施したデータの総時間を更新する処理を行った後、処理をステップS308へ移す。
【０２４９】
ステップS308において制御部113は、音質劣化処理済時間と決済処理促進用コンテンツデータの総時間とを比較する処理を行う。
【０２５０】
ここで制御部113は、音質劣化処理済時間が決済処理促進用コンテンツデータの総時間以上であると判断した場合（ステップS308:Yes）、すなわち、決済促進用コンテンツデータ全体への音質劣化処理が完了したと判断した場合にこの音質制限処理を終了して処理を図６に示すステップS227へ移す。
【０２５１】
一方、音質劣化処理済時間が決済処理促進用コンテンツデータの総時間未満であると判断した場合（ステップS308:No）、すなわち、決済処理促進用コンテンツデータ全体への音質劣化処理が完了していないと判断した場合、処理をステップS309へ移し音質劣化レベルをインクリメントする処理を行い、その後、処理をステップS306へ移す。
【０２５２】
こうして、劣化レベルＵＰ間隔（３０秒）再生する毎に音質劣化の度合いが高くなる決済処理促進用コンテンツデータを生成するようにしている。
【０２５３】
また、ステップS312において制御部113は、音質制限モードがノーマル劣化モードであるか否かの判断を行い、ノーマル劣化モードであると判断した場合（ステップS312:Yes）に処理をステップS313へ移し、ノーマル劣化モードでないと判断した場合（ステップS312:No）に、この音質制限処理を終了して処理を図６に示すステップS227へ移す。
【０２５４】
ここでいうノーマル劣化モードとは、コンテンツの再生開始から再生終了までの間、一定の音質劣化レベルを維持させるモードのことである。
【０２５５】
ステップS313において制御部113は、ノーマル劣化モードにおけるフェードアウトモードであるか否かの判断を行い、フェードアウトモードであると判断した場合（ステップS313:Yes）に処理をステップS314へ移し、フェードアウトモードでないと判断した場合（ステップS313:No）に処理をステップS316へ移す。
【０２５６】
ステップS314において制御部113は、フェードアウトモード処理内で設定した劣化レベルを初期値とし、その値を音質劣化レベルに設定する処理を行った後、処理をステップS315へ移す。すなわち、制御部113は、前回の決済処理促進用コンテンツデータ再生終了時の音質劣化レベルを初期劣化レベルとして設定する処理を行った後、ステップS315の処理を行う。
【０２５７】
また、ステップS316において制御部113は、ノーマル劣化モードにおける一定劣化モードであるか否かの判断を行い、一定劣化モードであると判断した場合に処理をステップS317へ移し、一定劣化モードでないと判断した場合に、この音質制限処理を終了して処理を図６に示すステップS227へ移す。
【０２５８】
ステップS317において制御部113は、音質劣化レベルをデフォルト値に設定する処理を行った後、処理をステップS315へ移す。
【０２５９】
ステップS315において制御部113は、決済処理促進用コンテンツデータ全体に対して、ステップS314、又は、ステップS317で設定した音質劣化レベルの音質劣化処理を行い、その後、この音質制限処理を終了して処理を図６に示すステップS227へ移す。
【０２６０】
（部分制限処理）
この部分制限処理は、図１２に示すステップS289、及び、図１３に示すステップS295で行う処理であり、制御部113が第１コンテンツ生成手段として機能して、図１８に示すフローチャートに従って行うものである。
【０２６１】
図１８に示すように、部分制限処理において制御部113は、部分制限モードを取得する処理（ステップS318）を行った後、取得した部分制限モードを解析する処理を行い（ステップS319）、その後、処理をステップS320へ移す。
【０２６２】
ステップS320において制御部113は、ステップS319における解析の結果、部分制限モードが所定時間モードであるか否かの判断を行い、所定時間モードであると判断した場合（ステップS3210:Yes）に処理をステップS321へ移し、所定時間モードでないと判断した場合（ステップS320:No）に処理をステップS323へ移す。
【０２６３】
ここでの所定時間モードとは、コンテンツデータの先頭から所定時間部分のみを再生可能とした決済処理促進用コンテンツデータを生成するモードである。
【０２６４】
ステップS321において制御部113は、図１９に示す再生時間取得処理を行った後、決済コンテンツデータの先頭から予め設定した再生時間分の決済処理促進用コンテンツデータを生成する処理を行い（ステップS322）、その後、この部分制限処理を終了して処理を図６に示すステップS227へ移す。
【０２６５】
また、ステップS323において制御部113は、部分制限モードがランダム再生モードであるか否かの判断を行い、ランダム再生モードであると判断した場合（ステップS323:Yes）に処理をステップS324へ移し、ランダム再生モードでないと判断した場合（ステップS323:Yes）に処理をステップS327へ移す。
【０２６６】
ここでのランダム再生モードとは、コンテンツデータのうちランダムに選択した所定開始位置から、所定時間部分のみを再生可能とした決済処理促進用コンテンツデータを生成するモードである。
【０２６７】
ステップS324において制御部113は、図１９に示す再生時間取得処理を行った後、コンテンツデータの再生開始位置をランダムに取得する処理（ステップS325）を行い、続いて、ステップS325で取得した再生開始位置から予め設定した所定時間分の決済処理促進用コンテンツデータを生成する処理を行い（ステップS326）、その後、この部分制限処理を終了して処理を図６に示すステップS227へ移す。
【０２６８】
また、ステップS327において制御部113は、部分制限モードが前奏モードであるか否かの判断を行い、前奏モードであると判断した場合（ステップS327:Yes）に処理をステップS328へ移し、前奏モードでないと判断した場合（ステップS327:No）に処理をステップS329へ移す。
【０２６９】
ここでの前奏モードとは、配信するコンテンツが楽曲である場合に、コンテンツの前奏部分のみを再生可能とした決済処理促進用コンテンツデータを生成するモードであり、配信するコンテンツが映像（映画、ドラマ）である場合に、コンテンツの序章部分のみを再生可能とした決済処理促進用コンテンツデータを生成するモードである。
【０２７０】
ステップS328において制御部113は、コンテンツデータから前奏データを作成する処理を行い、その後、この部分制限処理を終了して処理を図６に示すステップS227へ移す。
【０２７１】
また、ステップS329において制御部113は、部分制限モードがサビモードであるか否かの判断を行い、サビモードであると判断した場合（ステップS329:Yes）に処理をステップS330へ移し、サビモードでないと判断した場合（ステップS329:No）に処理をステップS331へ移す。
【０２７２】
ここでのサビモードとは、配信するコンテンツが楽曲である場合に、コンテンツのサビ部分のみを再生可能とした決済処理促進用コンテンツデータを生成するモードであり、配信するコンテンツが映像（映画、ドラマ）である場合に、コンテンツのクライマックス部分のみを再生可能とした決済処理促進用コンテンツデータを生成するモードである。
【０２７３】
ステップS330において制御部113は、コンテンツデータからサビデータを作成する処理を行い、その後、その後、この部分制限処理を終了して処理を図６に示すステップS227へ移す。
【０２７４】
また、ステップS331において制御部113は、部分制限モードがサビ前モードであるか否かの判断を行い、サビ前モードであると判断した場合（ステップS331:Yes）に処理をステップS332へ移し、サビ前モードでないと判断した場合（ステップS331:No）に、この部分制限処理を終了して処理を図６に示すステップS227へ移す。
【０２７５】
ここでのサビ前モードとは、配信するコンテンツが楽曲である場合に、コンテンツのサビ部分の前までのみを再生可能とした決済処理促進用コンテンツデータを生成するモードであり、配信するコンテンツが映像（映画、ドラマ）である場合に、コンテンツのクライマックス部分の前までのみを再生可能とした決済処理促進用コンテンツデータを生成するモードである。
【０２７６】
ステップS332において制御部113は、コンテンツの先頭からサビ開始前までのデータを作成する処理を行い、この部分制限処理を終了して処理を図６に示すステップS227へ移す。
【０２７７】
（再生時間取得処理）
この再生時間取得処理は、図１８に示すステップS321、ステップS324で行う処理であり、制御部113が図１９に示すフローチャートに従って行うものである。
【０２７８】
図１９に示すように、再生時間取得処理において制御部113は、部分制限モードにおけるフェードアウトモードであるか否かの判断を行い（ステップS333）、フェードアウトモードであると判断した場合（ステップS333:Yes）に処理をステップS334へ移し、フェードアウトモードでないと判断した場合（ステップS333:No）に処理をステップS336へ移す。
【０２７９】
ここでのフェードアウトモードとは、決済処理促進用コンテンツデータの再生可能期間が開始されてからの時間に応じて、決済処理促進用コンテンツデータの再生可能部分を段階的に短くするモードである。
【０２８０】
ステップS334において制御部113は、フェードアウトモード制限データ作成処理において設定して制限レベルを部分制限レベルに設定する処理を行った後、処理をステップS335へ移す。
【０２８１】
また、ステップS336において制御部113は、部分制限モードにおける一定劣化モードであるか否かの判断を行い、一定劣化モードであると判断した場合（ステップS336:Yes）に処理をステップS337へ移し、一定劣化モードでないと判断した場合（ステップS336:No）に処理をステップS335へ移す。
【０２８２】
ここでの一定劣化モードとは、決済処理促進用コンテンツデータの再生可能期間が開始されてから時間と無関係に、決済処理促進用コンテンツデータの再生可能時間を一定にするモードである。
【０２８３】
ステップS337において制御部113は、部分制限レベルをデフォルトに設定する処理を行った後、処理をステップS335へ移す。
【０２８４】
ステップS335において制御部113は、部分制限レベルから決済処理促進用コンテンツデータの再生可能時間を取得し、その後、この再生時間取得処理を終了して処理を図１８に示すS322、又は、ステップS325へ移す。
【０２８５】
〔１．６．端末装置の動作プログラム〕
次に、第１実施形態における端末装置２の動作プログラムについて説明する。この端末装置２の制御部213は、図２０、図２１に示すフローチャートに従って制御を行う。なお、端末装置２の動作プログラム２の説明中において、端末装置２制御部213を単に制御部213と記載することとする。
【０２８６】
（メイン処理）
このメイン処理において、制御部213は、電源がＯＮされると処理を開始し、この端末装置２のユーザによる操作が行われたか否かの判断を行い（ステップS201）、ユーザによる操作が行われたと判断した場合（ステップS201:Yes）に処理をステップS202へ移し、ユーザによる操作が行われていないと判断した場合（ステップS201:No）に処理をステップS201へ戻す。
【０２８７】
ステップS202において制御部213は、ユーザによる操作が電源ＯＦＦの操作であるか否かの判断を行い、電源ＯＦＦの操作であると判断した場合（ステップS202:Yes）に電源をＯＦＦする処理（ステップS206）を行った後、このメイン処理を終了する。
【０２８８】
一方、制御部213は、ユーザによる操作が電源ＯＦＦの操作でないと判断した場合（ステップS202:No）には、処理をステップS203へ移す。
【０２８９】
ステップS203において制御部213は、ユーザの操作が、コンテンツ配信装置１へのコンテンツ要求及びコンテンツ再生を行う操作であるか否かの判断を行い、コンテンツ要求及びコンテンツ再生を行う操作であると判断した場合（ステップS203:Yes）に処理をステップS204へ移し、コンテンツ要求及びコンテンツ再生を行う操作でないと判断した場合（ステップS203:No）に処理をステップS205へ移す。
【０２９０】
ステップS204において制御部213は、図２１に示すコンテンツ要求及びコンテンツ再生処理を行った後、処理をステップS201へ戻す。
【０２９１】
ステップS205において制御部213はユーザの操作に対応したその他の要求処理を行った後、処理をステップS201へ戻す。
【０２９２】
（コンテンツ要求及びコンテンツ再生処理）
このコンテンツ要求及びコンテンツ再生処理は、図２０に示すステップS204で行うものであり、制御部213が図２１に示すフローチャートに従って行うものである。
【０２９３】
このコンテンツ要求及びコンテンツ再生処理において制御部213は、タイマーセット処理（ステップS209）を行った後、処理をステップS210へ移す。
【０２９４】
このとき行うタイマーセット処理（ステップS209）において制御部213は、コンテンツ配信装置１へコンテンツを要求するためのユーザによる操作を検出した時点から３分間タイマーによる時間の計測を開始させる処理を行う。
【０２９５】
ステップS210において制御部213は、コンテンツ配信装置１と通信可能な状態となったか否かの判断を行い、通信可能状態であると判断した場合に処理をステップS211へ移し、通信可能状態でないと判断した場合に処理をステップS208へ移す。
【０２９６】
ステップS211において制御部213は、コンテンツ配信装置１へ要求コマンドを送信する処理を行った後、コンテンツ配信装置１からコンテンツデータを取得する処理を行い、その後、処理をステップS212へ移す。
【０２９７】
ステップS212において制御部213は、コンテンツデータを取得できたか否かの判断を行い、取得できたと判断した場合に処理をステップS213へ移し、取得できなかったと判断した場合に処理をステップS208へ移す。
【０２９８】
ステップS213において制御部213は、コンテンツ配信装置１から取得したコンテンツデータを再生する処理を行った後、ステップS209においてセットしたタイマーを解除して（ステップS214）、このコンテンツ要求及びコンテンツ再生処理を終了して処理を図２０に示すステップS201へ移す。
【０２９９】
また、ステップS208において制御部213は、タイムリミットであるか否かの判断を行い、タイムリミットであると判断した場合に処理をステップS214へ移し、タイムリミットでないと判断した場合に処理をステップS210へ移す。
【０３００】
すなわち、制御部213は、タイマーによる計測時間が３分を超えたと判断した場合に、タイマーによる時間計測を終了し、３分を超えていないと判断した場合には、ステップS210〜S212における処理を繰り返し行うようにしている。
【０３０１】
〔２．第２実施形態〕
〔２．１．第２実施形態の端末装置を適用するコンテンツ配信システムの概要〕
次に、図２２を参照して、第２実施形態に係る端末装置を適用するコンテンツ配信システムの概要について説明する。
【０３０２】
図２２に示すように、このコンテンツ配信システムＳaは、利用者が操作する端末装置２aからのコンテンツ配信要求に基づいて、映像や音楽などのコンテンツデータを配信するコンテンツ配信業者側のコンテンツ配信装置１aと、このコンテンツ配信装置１aから配信されるコンテンツデータを受信して再生する利用者側の端末装置２aと、利用者がコンテンツを利用するためにコンテンツ配信業者に対して支払う料金の決済処理状況などを管理する支払管理装置３aとにより構成するものである。
【０３０３】
また、これらコンテンツ配信装置１aと端末装置２aと料金管理装置３aとは、それぞれインターネットなどの通信回線４aにより接続するようにしている。
【０３０４】
そして、コンテンツ配信システムＳaは、コンテンツ配信装置１ａがコンテンツデータを端末装置２ａに送信し、端末装置２aが、当該端末装置２aの利用者が所望するコンテンツに対応した料金を支払ったことを確認すると、支払われた料金に対応した期間に限り再生を許可するように構成しており、コンテンツ配信業者から利用者に対してコンテンツを貸出するシステムである。      
【０３０５】
具体的には、利用者は、コンテンツ配信業者が運営しているコンテンツ配信サイトへアクセスし、所望するコンテンツを選択する。
【０３０６】
ここで、利用者が初めてこのコンテンツ配信サイトを利用する場合は、まず、利用者自身の住所、氏名、電話番号、クレジットカード番号などの個人情報を支払管理装置３aへ送信する。      
【０３０７】
支払管理装置３aは、この個人情報を受信すると、受信した個人情報を記録すると共に、個人情報を送信した利用者側の端末装置２aに対して、このコンテンツ配信サイトを利用するためのライセンスとしてのＩＤとパスワードを送信する。
【０３０８】
そして、このＩＤと、コンテンツ再生プログラムとを端末装置２aにより受信した利用者は、端末装置２aを操作することによりコンテンツ配信サイトに掲載されている複数種類のコンテンツから所望するコンテンツを選択し、選択したコンテンツデータを受信する。
【０３０９】
その後、利用者が端末装置２aを操作して、受信したコンテンツデータを再生するに際し、端末装置２aは、コンテンツ再生プログラムに従って、まず、支払管理装置３aへ、この利用者のライセンスに関する情報を送信することにより、このライセンスに対応する利用者の決済処理状況を要求して受信する。
【０３１０】
ここでいう決済処理状況とは、ライセンスに対応する利用者の口座から所定の料金が引き落とされ、コンテンツ配信業者の口座へ振り込まれたか否かの情報、及び、これら引き落としと振込みがなされた日時に関する情報である。
【０３１１】
そして、端末装置２aは、この決済処理状況に基づいて、利用者により料金が支払われたことを確認した後に、支払われた料金に対応した期間のみコンテンツデータを再生するように構成しており、このようにして、利用者へコンテンツの貸出しが行われるようにしている。
【０３１２】
また、このコンテンツ配信システムＳaでは、利用者が支払った料金に対応するコンテンツの再生可能期間が終了した後であっても、利用者がコンテンツ配信業者に対して更に追加料金を支払うことによって、その追加料金に対応する期間だけコンテンツの再生可能期間を継続することができるようにしている。
【０３１３】
以下、このコンテンツ配信システムＳaを構成するコンテンツ配信装置１a、端末装置２a、支払管理装置３aについて、具体的に説明する。
【０３１４】
〔２．２．１．コンテンツ配信装置の構成〕
図２３は、第２実施形態におけるコンテンツ配信装置１aの概略構成を示す機能ブロック図である。コンテンツ配信装置１aは、一般のサーバコンピュータを適用可能であり、図２３に示すように、ＣＰＵ（Central Processing Unit）101aと、各種プログラム等を記憶（格納）するＲＯＭ（Read Only Memory）等から構成された第１の記憶部102aと、各種データ等を記憶するハードディスク装置等から構成された第２の記憶部103aと、通信回線４aを介して利用者側の端末装置２aや支払管理装置３aとの間で通信を行うネットワークインターフェイス104aと、所定の情報を入力可能なキーボード105aやマウス106a等の入力部を制御する周辺機器制御チップ107aと、ＣＰＵ101aからイメージデータを受け取り、内部のビデオメモリ（図示せず）に書き込むと共にこのビデオメモリに書き込んだデータを後述のディスプレイ109aに表示するビデオチップ108aと、ビデオチップ108aから送信される信号に応じた表示を行うディスプレイ109aと、ＦＭ音源(Frequency Modulation)やWave Table音源などの音源を有する音源チップ110aと、音源チップ110aから出力されるオーディオ信号を音波に変換するスピーカ111aとを備えて構成され、これらの各種構成要素はシステムバス112aを介して相互に接続されている。なお、本実施形態においては、ＣＰＵ101aと第１の記憶部102aとで制御部113aを構成している。なお、ネットワークインターフェイス104aは、ルータ10Aを介して、通信回線４aに接続されている。
【０３１５】
（第１の記憶部102aについて）
また、第１の記憶部102aには、コンテンツ配信装置１aのコンピュータとしての基本的な機能を提供するためのＯＳ（オペレーティングシステム）のプログラム120aと、第２の記憶部103aに記憶されたコンテンツデータを取り出して端末装置２aへ配信するための配信制御プログラム121aと、ディスプレイ109aを制御するための画面制御プログラム122a等を記憶しており、これらはＣＰＵ101aによって読み出され、ＣＰＵ101aによってこれらのプログラムに従った機能が実行される。
【０３１６】
ここで、ＯＳプログラム120aは、ＣＰＵ101aによって読み出されて実行されることにより、キーボード105aやマウス106aの入出力に関する機能や、第１の記憶部102aや第２の記憶部103aなどのメモリ管理などのコンテンツ配信装置１aであるコンピュータの基本的な機能を実行可能にするものである。そして、このＯＳプログラム120aがＣＰＵ101aによって実行された状態で、上述の配信制御プログラム121a、画面制御プログラム122a、等が実行される。
【０３１７】
なお、ＯＳプログラム120a、配信制御プログラム121a、画面制御プログラム122a等は、例えば、通信回線４aに接続されたサーバ等から第１の記憶部102aにダウンロードされるようにしてもよく、又ＣＤ−ＲＯＭ等の記憶媒体に記録されてから当該記憶媒体のドライブを介して、第１の記憶部102aに読み込まれるようにしてもよい。
【０３１８】
（第２の記憶部103aについて）
また、第２の記憶部103aは、利用者側の端末装置２aへ送信するための複数種類の映像データや音楽データからなるコンテンツデータを記憶しておりコンテンツデータ記憶手段として機能すると共に、これら各コンテンツデータの内容と関連した内容でありながら、そのコンテンツデータとは内容の異なるお試し版データを記憶しており、関連コンテンツデータ記憶手段としても機能するものである。
【０３１９】
さらに、この第２記憶部103aは、コンテンツ配信要求を送信してきた各利用者のライセンスに関する情報を記憶しており、ライセンス情報記憶手段としても機能するものである。
【０３２０】
（制御部113aについて）
制御部113aは、上述のようにＣＰＵ101aと第１の記憶部102aとから構成され、ＣＰＵ101aが第１の記憶部102aに記憶された各種プログラム120a〜122aを読み出して実行することにより、コンテンツ配信装置１a全体を統括制御するようにしている。
【０３２１】
〔２．３．端末装置の構成〕
次に、図２４を参照して、利用者側の端末装置２aの構成及び動作について説明する。
【０３２２】
図２４は、第２実施形態における端末装置２aの概略構成例を示す機能ブロック図である。端末装置２aは、一般のパーソナルコンピュータを適用可能であり、図２４に示すように、ＣＰＵ（Central Processing Unit）201aと、各種プログラム等を記憶（格納）するＲＯＭ（Read Only Memory）等から構成された第１の記憶部202aと、各種データ等を記憶するハードディスク装置等から構成された第２の記憶部203aと、通信回線４aを介してコンテンツ配信装置１aや支払管理装置３aとの間で通信を行うネットワークインターフェイス204aと、利用者が端末装置２aを遠隔操作するために所定の赤外線信号を送信及び受信するリモコン205aと、このリモコン205aと赤外線により通信を行なうための赤外線ポート206aと、赤外線ポート206aを制御する周辺機器制御チップ207aと、ＣＰＵ201aからイメージデータを受け取り、内部のビデオメモリ（図示せず）に書き込むと共にこのビデオメモリに書き込んだデータを後述のディスプレイ209aに表示するビデオチップ208aと、ビデオチップ208aから送信される信号に応じた表示を行うディスプレイ209aと、ＦＭ音源(Frequency Modulation)やWave Table音源などの音源を有する音源チップ210aと、音源チップ210aから出力されるオーディオ信号を音波に変換するスピーカ211aとを備えて構成され、これらの各種構成要素はシステムバス212aを介して相互に接続されている。なお、本実施形態においては、ＣＰＵ201aと第１の記憶部202aと第２の記憶部203aで制御部213aを構成している。なお、ネットワークインターフェイス204aは、ルータ10Bを介して、通信回線４aに接続されている。
【０３２３】
（第１の記憶部202aについて）
また、第１の記憶部202aには、端末装置２aのコンピュータとしての基本的な機能を提供するためのＯＳのプログラム220aと、コンテンツ配信装置１aから配信されるコンテンツデータを受信するための受信制御プログラム221aと、受信したコンテンツデータを再生するための再生制御プログラム222aと、ディスプレイ209aを制御するための画面制御プログラム223a等を記憶しており、これらはＣＰＵ201aによって読み出され、ＣＰＵ201aによってこれらのプログラムに従った機能が実行される。
【０３２４】
ここで、ＯＳプログラム220aは、ＣＰＵ201aによって読み出されて実行されることにより、リモコン205aの入出力に関する機能や、第１の記憶部202aや第２の記憶部203aなどのメモリ管理などの端末装置２aであるコンピュータの基本的な機能を実行可能にするものである。そして、このＯＳプログラム220aがＣＰＵ201aによって実行された状態で、上述の受信制御プログラム221a、再生制御プログラム222a、画面制御プログラム223a等が実行される。
【０３２５】
なお、ＯＳプログラム220a、受信制御プログラム221a、再生制御プログラム222a、画面制御プログラム223a等は、例えば、インターネットに接続されたサーバ等から第１の記憶部202aにダウンロードされるようにしてもよく、又ＣＤ−ＲＯＭ等の記憶媒体に記録されてから当該記憶媒体のドライブを介して、第１の記憶部202aに読み込まれるようにしてもよい。
【０３２６】
（第２記憶部203aについて）
第２の記憶部203aは、コンテンツ配信装置１aから受信したＩＤや、利用者がコンテンツデータを再生するためのライセンスに関する情報と、ライセンスに対する決済条件とを関連付けて記憶することができ、ライセンス情報記憶手段として機能するものである。
【０３２７】
ここでいう決済条件とは、次の２つの条件を示す。
【０３２８】
決済条件１：コンテンツ配信要求を送信した利用者が要求したコンテンツに対する所定の料金を最初に支払ってから現在までの間に追加料金を支払っておらず、現在、最初の支払に対応したコンテンツ利用可能期間内であるという条件。
【０３２９】
決済条件２：コンテンツ配信要求を送信した利用者が要求したコンテンツに対する所定の料金を最初に支払ってから現在までの間に追加料金を支払っており、現在、支払った追加料金に対応したコンテンツ利用可能期間内であるという条件。
【０３３０】
また、この第２の記憶部203aは、コンテンツ配信装置１aから受信したコンテンツデータを記憶することができ、コンテンツデータ記憶手段として機能する他、コンテンツ配信装置１aから受信したお試し版データを記憶することもでき、関連データ記憶手段としても機能するものである。
【０３３１】
更に、この第２の記憶部203aは、コンテンツ配信装置１aからダウンロードするコンテンツ再生プログラムを記憶することもできるようにしている。
【０３３２】
特に、このコンテンツ再生プログラムは、コンテンツ配信装置１aから受信したコンテンツデータを再生する際に、ＣＰＵ201aが参照するものであり、具体的には、利用者の決済処理状況が後述する決済条件を満たしているか否かを判定するための決済条件判定制御プログラム、後述する決済条件判定手段により決済処理状況が決済条件を満たしていないと判断された場合に、コンテンツデータに対して再生制限を行うための再生制限プログラムを含むものである。
【０３３３】
また、この第２の記憶部203aは、再生制限を行ったコンテンツデータ及びお試し版データの再生可能期間及び再生可能回数を示す再生制限情報を記憶することができ、再生制限記憶手段としても機能するものである。
【０３３４】
（制御部213aについて）
制御部213aは、上述のようにＣＰＵ201aと第１の記憶部202aと第２の記憶部203aとから構成され、ＣＰＵ201が第１記憶部202aに記憶された各種プログラム220a〜223aや、第２の記憶部203aに記憶されたコンテンツ再生プログラム等を読み出して実行することにより、端末装置２a全体を統括制御し、かつ、後述するコンテンツ取得手段、再生手段、決済処理状況取得手段、決済条件判定手段、再生制限手段、第１再生制限手段、関連コンテンツ要求手段、第２再生制限手段、第３再生制限手段、コンテンツ選択手段、第１劣化手段、第２劣化手段、進行劣化手段として機能させるようにしている。
【０３３５】
（コンテンツ取得手段について）
すなわち、端末装置２aの制御部213a（以下、単に「制御部213a」ともいう。）は、コンテンツ取得手段として機能して、コンテンツ配信装置１aからコンテンツデータを受信すると共に、受信したコンテンツデータを第２の記憶部203aへ記憶させる処理を行う。
【０３３６】
（再生手段について）
また、制御部213aは、再生手段として機能して、第１の記憶部202aに記憶している再生制御プログラム222aを実行することにより、第２の記憶部203aに記憶したコンテンツデータを再生する処理を行う。
【０３３７】
（決済処理状況取得手段について）
また、制御手段213aは、決済処理状況取得手段として機能して、利用者のライセンスに対する決済処理状況を、ライセンスに関する情報に基づいて取得する処理を行う。
【０３３８】
すなわち、制御手段213aは、第２の記憶部203aに記憶したコンテンツデータを再生する際に、支払管理装置３aに対して利用者のライセンス（ＩＤ）を送信することにより、このＩＤに対応する利用者の決済処理状況を要求して受信する処理を行うようにしている。
【０３３９】
このとき受信する決済処理状況とは、コンテンツデータを再生しようとした利用者が、要求しているコンテンツに対する所定の料金を支払ったか否かの情報と、その利用者が所定の料金を支払った日時に関する情報を示す情報である。
【０３４０】
（決済条件判定手段について）
また、制御部213aは、利用者の決済処理状況を受信すると、決済条件判定手段として機能して、取得した利用者の決済処理状況が決済条件を満たすか否かを判定する処理を行う。
【０３４１】
（再生制限手段について）
また、制御部213aが決済条件判定手段として機能した際に、利用者の決済処理状況が決済処理条件を満たしていないと判定した場合、すなわち、コンテンツ配信要求を送信した利用者が要求したコンテンツに対する所定の料金を最初に支払ってから現在までの間に追加料金を支払っておらず、現在、最初の支払に対応したコンテンツ利用可能期間内でない、若しくは、コンテンツ配信要求を送信した利用者が要求したコンテンツに対する所定の料金を最初に支払ってから現在までの間に追加料金を支払っており、現在、支払った追加料金に対応したコンテンツ利用可能期間内でないと判定した場合に、再生制限手段として機能する。
【０３４２】
このとき制御部213aは、コンテンツ配信装置１aから受信したコンテンツデータに対して再生制限を施した後、再生手段として機能して、再生制限を施したコンテンツデータを再生するようにしている。
【０３４３】
このように、決済条件判定手段により決済処理状況が決済条件を満たさないと判定された場合、制御部113は、コンテンツデータの再生を完全に禁止するのではなく、再生制限を行ったコンテンツデータを再生することにより、利用者に対して、コンテンツの利用期間の延長を積極的に促すことができ、その利用者に決済処理である追加料金の支払を促すことができるようにしている。
【０３４４】
（第１再生制限手段について）
また、この制御部213aは、再生制限を施したコンテンツデータを再生する際に、第１再生制限手段として機能して、第２の記憶部203aに記憶している再生制限情報に基づき、再生制限を施したコンテンツデータ又はお試し版データの再生可能期間を過ぎている場合と、
再生制限を施したコンテンツデータ又はお試し版データの再生可能回数を超えている場合には、これら再生制限を施したコンテンツデータ又はお試し版データの再生を禁止する処理を行うようにしている。
【０３４５】
また、制御部113は、再生制限手段として機能してコンテンツデータに対して再生制限を施す際に、以下に説明する第２再生制限手段、第３再生制限手段としても機能する。
【０３４６】
（第２再生制限手段について）
第２再生制限手段として機能した際に制御部213aは、第２の記憶部203aに記憶しているコンテンツ再生プログラムを実行することにより、コンテンツ配信装置１aから受信したコンテンツデータの一部のみを再生可能に制限する処理を行うようにしている。
【０３４７】
このように、第２再生制限手段により再生制限を行ったコンテンツデータを利用者に再生することによって、利用者は、全体を通してコンテンツを視聴したくなるので、この利用者に対してコンテンツの再生可能期間の継続を積極的に促すことができるようにしている。
【０３４８】
（第３再生制限手段について）
また、第３再生制限手段として機能した際に制御部213aは、第２の記憶部203aに記憶しているコンテンツ再生プログラムを実行することにより、コンテンツ配信装置１aから受信したコンテンツデータの再生品質を劣化させる処理を行うようにしている。
【０３４９】
このように、第３再生制限手段により再生制限を行ったコンテンツデータを再生することによって、利用者は、更に品質の高い正規のコンテンツを視聴したくなるので、この利用者に対してコンテンツの再生可能期間の継続を積極的に促すことができるようにしている。
【０３５０】
また、コンテンツデータの再生品質を劣化させる際に、制御部213aは、以下に説明する第１劣化手段、第２劣化手段、進行劣化手段という３つの劣化手段として機能し、コンテンツデータに対してそれぞれことなる複数種類の再生制限を施す処理を行うようにしている。
【０３５１】
（第１劣化手段について）
第１劣化手段として機能した際に制御部213aは、配信制限記憶手段に記憶している再生可能期間の開始からの経過時間に応じて、段階的にコンテンツデータの再生品質の劣化度合いを高めるような処理を行うようにしている。
【０３５２】
ここで用いるコンテンツデータの再生品質を劣化させる具体的な方法としては、例えば、コンテンツデータに音楽（音声データ）が含まれている場合に、コンテンツデータにホワイトノイズを入れる方法、再生時時の音量が徐々に小さくなるようにする方法、再生時の音量を不規則に変化（大したり、小さくしたり）させる方法、高音部又は低音部の出力を下げる方法、中音部（ボーカルの音声帯域）の出力を下げる方法、ピッチ（音程）をランダムに変える方法、昔のカセットテープのようなヒスノイズを入れる方法などを用いることができる。
【０３５３】
また、コンテンツデータに映像（画像データ）が含まれている場合には、コンテンツ中に、ホワイトノイズ、モザイク、円形・帯状の黒いベタ塗りの目隠しなどを挿入し、これらの挿入した領域を徐々に広げる方法、任意のタイミングでコンテンツとは関係のない別の映像をコンテンツ中に挿入する方法、映像を色あせさせる（全体に赤みがかる、セピアになる、グレーになる、真っ白になる）方法、ＴＶ放送終了後の砂嵐映像にだんだん近づける方法などを用いることができる。
【０３５４】
これにより、利用者に対して、再生品質の劣化度合いによって再生不可能となる時期が近づいていることを認識させることができ、コンテンツの再生可能期間の継続を更に積極的に促すことができるようにしている。
【０３５５】
（第２劣化手段について）
また、第２劣化手段として機能した際に制御部213aは、再生制限を施したコンテンツデータの再生回数の増加に応じて、段階的にコンテンツデータの前記再生品質の劣化度合いを高めるような処理を行うようにしている。
【０３５６】
ここで、第２劣化手段によりコンテンツデータの再生品質を劣化させる方法としては、上記した第１劣化手段と同様の方法を用いることができる。
【０３５７】
これにより、利用者に対して、再生品質の劣化度合いによって再生不可能となる回数が近づいていることを認識させることができ、コンテンツの再生可能期間の継続を更に積極的に促すことができるようにしている。
【０３５８】
（進行劣化手段について）
また、進行劣化手段として機能した際に制御部213aは、再生制限を施したコンテンツデータ再生の進行に伴って段階的にコンテンツデータの再生品質の劣化度合いを高めるような処理を行うようにしている。
【０３５９】
これにより、再生制限を施したコンテンツデータを再生中に利用者へ、決済処理が行われていないことを認識させることができ、利用者に対して積極的に決済処理を促すことができるようにしている。
【０３６０】
（関連コンテンツ要求手段、及び、関連コンテンツ受信手段について）
また、制御部213aは、決済条件判定手段として機能した際に、決済処理状況が前記決済条件を満たさないと判定した場合、コンテンツ配信装置１aに対して、お試し版データの配信を要求する処理を行う関連コンテンツ要求手段として機能する。
【０３６１】
その後、制御部213aは、関連コンテンツ受信手段として機能し、コンテンツ配信装置１aから送信されるお試し版データを受信する処理を行った後、受信したお試し版データを第２の記憶部203aに記憶させる処理を行う。
【０３６２】
そして、制御部213aは、この第２記憶部203aに記憶したお試し版データを、再生制限を行なったコンテンツデータとして再生する処理を行うようにしている。
【０３６３】
このように、利用者にお試し版データを再生させることによって、コンテンツの利用可能期間の継続を促すことが出来る。
【０３６４】
（コンテンツ選択手段について）
また、この制御部213aは、上記各手段により再生制限した複数種類のコンテンツデータの中から１種類のコンテンツデータを任意に選択するコンテンツ選択手段としても機能するものである。
【０３６５】
すなわち、この制御部213aは、関連コンテンツ記憶手段に記憶しているお試し版データと、第２再生制限手段により再生制限を行ったコンテンツデータと、第３再生制限手段により再生制限を行ったコンテンツデータとのうちから、いずれか１つのコンテンツデータを任意に選択し、その選択したコンテンツデータを再生制限を行ったコンテンツデータとして再生する処理を行うようにしている。
【０３６６】
このように、複数種類の再生制限を施したコンテンツデータの中から任意に選択したコンテンツデータ再生させることができるので、利用者の興趣をそぐことなく、コンテンツの再生可能期間の継続を積極的に促すことができる。
【０３６７】
〔２．４．支払管理装置の構成〕
図２５は、第２実施形態における支払管理装置３aの概略構成を示す機能ブロック図である。支払管理装置３aは、一般のサーバコンピュータを適用可能であり、図２５に示すように、ＣＰＵ（Central Processing Unit）301aと、各種プログラム等を記憶（格納）するＲＯＭ（Read Only Memory）等から構成された第１の記憶部302aと、各種データ等を記憶するＨＤＤ（Hard Disc Drive）等から構成された第２の記憶部303aと、通信回線４aを介してコンテンツ配信装置１aや端末装置２a、及び、図示しない金融機関の端末装置等との間で通信を行うネットワークインターフェイス304aと、所定の情報を入力可能なキーボード305aやマウス306a等の入力部を制御する周辺機器制御チップ307aと、ＣＰＵ301aからイメージデータを受け取り、内部のビデオメモリ（図示せず）に書き込むと共にこのビデオメモリに書き込んだデータを後述のディスプレイ309aに表示するビデオチップ308aとを備えて構成され、これらの各種構成要素はシステムバス310aを介して相互に接続されている。なお、本実施形態においては、ＣＰＵ301aと第１の記憶部302aと第２の記憶部303aとで制御部312aを構成している。なお、ネットワークインターフェイス304aは、ルータ10Cを介して、通信回線４aに接続されている。
【０３６８】
（第１の記憶部302について）
また、第１記憶部302aには、支払管理装置３aのコンピュータとしての基本的な機能を提供するためのＯＳのプログラム320a等を記憶しており、このＯＳプログラムはＣＰＵ301aによって読み出され、ＣＰＵ301aによってこれらのプログラムに従った機能が実行される。
【０３６９】
ここで、ＯＳプログラム320aは、ＣＰＵ301aによって読み出されて実行されることにより、キーボード305aやマウス306aの入出力に関する機能や、第１の記憶部302aや第２の記憶部303aなどのメモリ管理などの支払管理装置３aであるコンピュータの基本的な機能を実行可能にするものである。
【０３７０】
（第２の記憶部303aについて）
第２記憶部303aには、各利用者が所定の料金を支払ったか否かに関する情報や、料金を支払った日時に関する情報等からなる決済処理状況に関する情報を記憶している。なお、この決済処理状況に関する情報は、決済処理状況が変化する度に更新するようにしている。
【０３７１】
また、この第２の記憶部303aには、各利用者のＩＤも記憶するようにしており、このＩＤ毎に上記した決済処理状況に関する情報を管理して記憶するようにしている。
【０３７２】
（制御部312aについて）
制御部312aは、上述のようにＣＰＵ301aと第１の記憶部302aと第２の記憶部303aとから構成され、端末装置２aから決済処理状況に関する情報の要求を受信すると、第２の記憶部303aから最新の決済処理状況に関する情報を端末装置２aへ送信する処理を行う他、決済処理状況の更新を行うために金融機関の端末装置との間で行う通信処理等、支払管理装置３a全体を統括制御するものである。
【０３７３】
〔２．５．コンテンツ配信装置の動作プログラム〕
ここで、第２実施形態におけるコンテンツ配信装置１aの動作プログラムについて説明する。このコンテンツ配信装置１aの制御部113aは、図２６〜図２８に示すフローチャートに従って制御を行う。なお、コンテンツ配信装置１aの動作プログラムの説明中において、コンテンツ配信装置１aの制御部113aを単に制御部113aと記載することとする。
【０３７４】
（メイン処理）
図２６に示すように、メイン処理において制御部113aは、電源がＯＮされると処理を開始し、このコンテンツ送信装置１aのユーザによる操作が行われたか否かの判断を行い（ステップS175）、ユーザによる操作が行われたと判断した場合（ステップS175:Yes）に処理をステップS177へ移し、ユーザによる操作が行われていないと判断した場合（ステップS175:No）に処理をステップS216へ移す。
【０３７５】
ステップS177において制御部113aは、ユーザによる操作が電源ＯＦＦの操作であるか否かの判断を行い、電源ＯＦＦの操作であると判断した場合（ステップS177:Yes）に電源をＯＦＦする処理（ステップS178）を行った後、このメイン処理を終了する。
【０３７６】
一方、制御部113aは、ユーザによる操作が電源ＯＦＦの操作でないと判断した場合（ステップS177:No）には、その操作に対応したその他の処理（ステップS179）を行った後、処理をステップS215へ移す。
【０３７７】
ステップS176において制御部113aは、要求コマンドを受信したか否かの判断を行い、要求コマンドを受信していないと判断した場合（ステップS176:No）に処理をステップS175へ戻し、電源がＯＮである間、ステップS175〜Ｓ176の処理を繰り返し行うことによって待機状態となる。
【０３７８】
一方、ステップS176において要求コマンドを受信したと判断した場合（ステップS176:Yes）に制御部113aは、処理をステップS180へ移す。
【０３７９】
また、ステップS180において制御部113aは、要求コマンドがコンテンツ要求であるのか否かの判断を行い、コンテンツ要求コマンドであると判断した場合（ステップS180:Yes）に処理をステップS181へ移し、コンテンツ要求コマンドでないと判断した場合（ステップS180:No）に処理をステップS182へ移す。
【０３８０】
ステップS181において制御部113aは、図２７に示すコンテンツデータ送信処理を行い、その後、処理をステップS175へ移す。
【０３８１】
ステップS182において制御部113aは、要求コマンドがお試し版データ要求であるか否かの判断を行い、お試し版データ要求であると判断した場合（ステップS182:Yes）に処理をステップS183へ移し、お試し版データ要求でないと判断した場合（ステップS182:No）に処理をステップS184へ移す。
【０３８２】
ステップS183において制御部113aは、図２８に示すお試し版データ送信処理を行った後、処理をステップS175へ移す。
【０３８３】
また、ステップS184において制御部123aは、要求コマンドに対応したその他の要求処理を行った後、処理をステップS175へ移す。
【０３８４】
（コンテンツデータ送信処理）
このコンテンツデータ送信処理は、図２６に示すステップS181で行う処理であり、制御部113aが図２７に示すフローチャートに従って行うものである。
【０３８５】
図２７に示すように、コンテンツデータ送信処理において制御部113aは、タイマーセット処理（ステップS187）を行った後、処理をステップS188へ移す。
【０３８６】
このとき行うタイマーセット処理（ステップS188）において制御部113aは、端末装置２aからコンテンツ要求を示す要求コマンドを受信した時点から３分間タイマーによる時間の計測を開始させる処理を行う。
【０３８７】
ステップS188において制御部113aは、第２の記憶部103aを参照することにより、コンテンツ要求に対応したコンテンツデータの存在を確認する処理を行い、その後、処理をステップS189へ移す。
【０３８８】
ステップS189において制御部113aは、コンテンツ要求に対応したコンテンツデータが存在するか否かの判断を行い、存在すると判断した場合に処理をステップS190へ移し、存在しないと判断した場合に処理をステップS185へ移す。
【０３８９】
ステップS190において制御部113aは、端末装置２aへコンテンツ要求に対応したコンテンツデータを送信する処理を行った後、処理をステップS191へ移す。
【０３９０】
また、ステップS185において制御部113aは、タイムリミットであるか否かの判断を行い、タイムリミットであると判断した場合に処理をステップS186へ移し、タイムリミットでないと判断した場合に処理をステップS188へ移す。
【０３９１】
すなわち、制御部113aは、タイマーによる計測時間が３分を超えたと判断した場合に、コンテンツデータの送信に失敗したことを示す失敗情報を端末装置２aへ送信する処理を行い（ステップS186）、その後、処理をステップS191へ移す。
【０３９２】
一方、制御部113aにより３分を超えていないと判断した場合には、ステップS188〜S189における処理を繰り返し行うようにしている。
【０３９３】
ステップS191において制御部113aは、タイマーを解除する処理を行った後、このコンテンツデータ送信処理を終了し処理を図２６に示すステップS175へ移す。
【０３９４】
（お試し版データ送信処理）
このお試し版データ送信処理は、図２６に示すステップS183で行う処理であり、制御部113aが図２８に示すフローチャートに従って行うものである。
【０３９５】
図２８に示すように、お試し版データ送信処理において制御部113aは、タイマーセット処理（ステップS194）を行った後、処理をステップS195へ移す。
【０３９６】
このとき行うタイマーセット処理（ステップS194）において制御部113aは、端末装置２aからお試し版データ要求を示す要求コマンドを受信した時点から３分間タイマーによる時間の計測を開始させる処理を行う。
【０３９７】
ステップS195において制御部113aは、第２の記憶部103aを参照することにより、お試し版データ要求に対応したデータの存在を確認する処理を行い、その後、処理をステップS196へ移す。
【０３９８】
ステップS196において制御部113aは、お試し版データ要求に対応したデータが存在するか否かの判断を行い、存在すると判断した場合に処理をステップS197へ移し、存在しないと判断した場合に処理をステップS192へ移す。
【０３９９】
ステップS197において制御部113aは、端末装置２aへお試し版データ要求に対応したデータを送信する処理を行った後、処理をステップS198へ移す。
【０４００】
また、ステップS192において制御部113aは、タイムリミットであるか否かの判断を行い、タイムリミットであると判断した場合に処理をステップS193へ移し、タイムリミットでないと判断した場合に処理をステップS195へ移す。
【０４０１】
すなわち、制御部113aは、タイマーによる計測時間が３分を超えたと判断した場合に、お試し版データの送信に失敗したことを示す失敗情報を端末装置２aへ送信する処理を行い（ステップS193）、その後、処理をステップS198へ移す。
【０４０２】
一方、制御部113aにより３分を超えていないと判断した場合には、ステップS195〜S196における処理を繰り返し行うようにしている。
【０４０３】
ステップS198において制御部113aは、タイマーを解除する処理を行った後、このコンテンツデータ送信処理を終了し処理を図２６に示すステップS175へ移す。
【０４０４】
〔２．６．端末装置の動作プログラム〕
次に、第２実施形態における端末装置２aの動作プログラムについて説明する。この端末装置２aの制御部213aは、図２９〜図４６に示すフローチャートに従って制御を行う。なお、端末装置２aの動作プログラムの説明中において、端末装置１aの制御部213aを単に制御部213aと記載することとする。
【０４０５】
また、以下の説明では、端末装置２aがコンテンツ配信装置１aへ要求コマンドを送信した後に、制御部213aが行う処理について説明する。
【０４０６】
（メイン処理）
図２９に示すように、メイン処理において制御部213aは、電源がＯＮされると処理を開始し、この端末装置２aのユーザによる操作が行われたか否かの判断を行い（ステップS2）、ユーザによる操作が行われたと判断した場合（ステップS2:Yes）に処理をステップS3へ移し、ユーザによる操作が行われていないと判断した場合（ステップS2:No）に処理をステップS2へ移す。
【０４０７】
ステップS3において制御部213aは、ステップS2におけるユーザの操作が、コンテンツのダウンロードを行うための操作であるか否かの判断を行い、ダウンロードを行うための操作であると判断した場合（ステップS3:Yes）に処理をステップS4へ移し、ダウンロードを行うための操作でないと判断した場合（ステップS3:No）に処理をステップS5へ移す。
【０４０８】
ステップS4において制御部213aは、図３０に示すコンテンツダウンロード処理を行った後、処理を図２９に示すステップS2へ移す。
【０４０９】
ステップS5において制御部213aは、ステップS2におけるユーザの操作がコンテンツデータを再生する操作であるか否かの判断を行い、再生する操作であると判断した場合（ステップS3:Yes）に処理をステップS11へ移し、再生する操作でないと判断した場合（ステップS3:No）に処理をステップS7へ移す。
【０４１０】
ステップS11において制御部213aは、図３２に示す料金チェック処理を行った後、ステップS6へ移す。
【０４１１】
ステップS6において制御部213aは、図３１に示す再生処理を行った後、処理を図２９に示すステップS2へ移す。
【０４１２】
ステップS7において制御部213aは、ステップS2におけるユーザの操作が電源をＯＦＦ状態にする操作であるか否かの判断を行い、電源をＯＦＦ状態にする操作であると判断した場合（ステップS7:Yes）に、電源をＯＦＦ状態とする処理（ステップS8）を行った後、処理を終了し、電源をＯＦＦ状態にする操作でないと判断した場合（ステップS7:No）に、ユーザの操作に対応したその他の処理を行い（ステップＳ9）、その後、処理をステップS2へ移す。
【０４１３】
（コンテンツデータダウンロード処理）
このコンテンツデータダウンロード処理は、図２９に示すステップS4で行う処理であり、制御部213aがコンテンツ取得手段として機能して、図３０に示すフローチャートに従って行うものである。
【０４１４】
図３０に示すように、コンテンツデータダウンロード処理において制御部213aは、タイマーセット処理（ステップS13）を行った後、処理をステップS14へ移す。
【０４１５】
このとき行うタイマーセット処理（ステップS13）において制御部213aは、図２９に示すステップS2におけるユーザの操作を検出した時点から３分間タイマーによる時間の計測を開始させる処理を行う。
【０４１６】
ステップS14において制御部213aは、コンテンツ配信装置１aと通信可能であるか否かの判断を行い、通信可能であると判断した場合（ステップS14:Yes）に処理をステップS15へ移し、通信可能でないと判断した場合（ステップS14:No）に処理をステップS12へ移す。
【０４１７】
ステップS15において制御部213aは、コンテンツ配信装置１aからコンテンツデータを取得する処理を行った後、処理をステップS16へ移す。
【０４１８】
ステップS16において制御部213aは、コンテンツデータを取得できたか否かの判断を行い、コンテンツデータを取得できたと判断した場合（ステップS16:Yes）に処理をステップS17へ移し、コンテンツデータを取得できなかったと判断した場合（ステップS16:No）に処理をステップS12へ移す。
【０４１９】
ステップS17において制御部213aは、ステップS15において取得したコンテンツデータを第２の記憶部203aに保存する処理を行った後、処理をステップS18へ移す。
【０４２０】
また、ステップS12において制御部213aは、タイムリミットであるか否かの判断を行い、タイムリミットであると判断した場合に処理をステップS18へ移し、タイムリミットでないと判断した場合に処理をステップS14へ移す。
【０４２１】
すなわち、制御部213aは、タイマーによる計測時間が３分を超えたと判断した場合に、タイマーを解除する処理（ステップS18）を行うことによって、タイマーによる時間計測を終了し、このコンテンツデータダウンロード処理を終了して処理を図２９に示すステップS2へ移す。
【０４２２】
一方、３分を超えていないと判断した場合に制御部213aは、ステップS14〜S16における処理を繰り返し行うようにしている。
【０４２３】
（再生処理）
この再生処理は、図２９に示すステップS6で行う処理であり、制御部213aが再生手段、及び、決済条件判定手段として機能して、図３１に示すフローチャートに従って行うものである。
【０４２４】
図３１に示すように、再生処理において制御部213aは、後述する料金チェック処理で取得した決済処理状況情報に基づいて、視聴制限フラグが１であるか否かの判断を行う（ステップS34）。
【０４２５】
この視聴制限フラグは、制御部213aが決済処理状況情報に基づいて、決済処理状況が決済条件を満たしていないと判定した場合に、第２の記憶部203aの所定領域に「１」を記憶させることにより成立するフラグである。
【０４２６】
そして、制御部213aは、視聴制限フラグが１であると判断した場合（ステップS34:Yes）に処理をステップS35へ移し、視聴制限フラグが１でないと判断した場合（ステップS34:No）に処理をステップS37へ移す。
【０４２７】
ステップS35において制御部213aは、図３３に示す視聴制限再生処理を行った後、決済処理促進用コンテンツデータの再生回数をインクリメントし（ステップS36）、その後、この再生処理を終了して処理を図２９に示すステップS2へ移す。
【０４２８】
また、ステップS37において制御部213aは、コンテンツ配信装置1aから受信したコンテンツデータを再生する処理を行った後、この再生処理を終了して処理を図２９に示すステップS2へ移す。
【０４２９】
（料金チェック処理）
この料金チェック処理は、図２９に示すステップS11で行う処理であり、制御部213aが決済状況取得手段、及び、決済条件判定手段として機能して、図３２に示すフローチャートに従って行うものである。
【０４３０】
図３２に示すように、料金チェック処理において制御部213aは、支払管理装置３aに接続し（ステップS20）、その後、処理をステップS21へ移す。
【０４３１】
ステップS21において制御部213aは、コンテンツ配信装置1aに接続できたか否かの判断を行い、接続できたと判断した場合（ステップS21:Yes）に処理をステップS22へ移し、接続できなかったと判断した場合（ステップS21:No）に処理をステップS28へ移す。
【０４３２】
ステップS22において制御部213aは、支払管理装置３aに対して、決済処理状況情報及び制限モード情報の要求処理を行い（ステップS22）、その後、タイマーセット処理（ステップS23）を行った後、処理をステップS24へ移す。
【０４３３】
このとき行うタイマーセット処理（ステップS23）において制御部213aは、ステップS22における決済処理状況情報及び制限モード情報の要求処理を行った時点から１分間タイマーによる時間の計測を開始させる処理を行う。
【０４３４】
ステップS24において制御部213aは、支払管理装置３aから決済処理状況情報及び制限モード情報を受信する処理を行った後、処理をステップS25へ移す。
【０４３５】
ここで制御部213aが受信する制限モード情報には、複数種類の制限モードがあり、具体的には、図１０に示す第１実施形態における制限モードと同様の制限モードがある。
【０４３６】
なお、第２実施形態では、支払管理装置３aから決済処理状況情報と制限モード情報とを取得するようにしているが、制限モード情報は、コンテンツ配信装置１aから取得するように構成することもできる。
【０４３７】
この場合、制御部213aは、コンテンツ配信装置１aへコンテンツの配信要求を送信する際に、この配信要求に支払管理装置３aから取得した決済処理状況情報を付加して送信する処理を行うようにする。
【０４３８】
そして、コンテンツ配信装置１aの制御部113aは、受信したコンテンツ配信要求に付加されている端末装置２aの決済処理状況情報を参照し、その情報に応じた制限モード情報を選択して、配信するコンテンツと共に制限モードを端末装置２aへ送信する処理を行うようにする。      
【０４３９】
ステップS25において制御部213aは、決済処理状況情報及び制限モード情報を受信できたか否かの判断を行い、受信できたと判断した場合（ステップS25:Yes）に処理をステップS26へ移し、受信できなかったと判断した場合（ステップS25:No）に処理をステップS19へ移す。
【０４４０】
このとき受信する制限モード情報は、後述する視聴制限再生処理における複数種類の制限モードのうち、どの制限モードにより視聴制限を行うのかを支持するための情報である。
【０４４１】
ステップS19において制御部213aは、タイムリミットであるか否かの判断を行い、タイムリミットであると判断した場合（ステップS19:Yes）に処理をステップS28へ移し、タイムリミットでないと判断した場合（ステップS19:No）に処理をステップS24へ移す。
【０４４２】
すなわち、制御部213aは、タイマーによる計測時間が１分を超えたと判断した場合に、タイマーによる時間計測を終了し、１分を超えていないと判断した場合には、ステップS24〜S25における処理を繰り返し行うようにしている。
【０４４３】
また、ステップS26において制御部213aは、ステップS25において受信した決済処理状況情報に基づいて、利用者の決済処理状況が所定の決済処理条件を満たすか否かの判断を行い、決済条件を満たしていると判断した場合（ステップS26:Yes）に処理をステップS29へ移し、決済条件を満たさないと判断した場合（ステップS26:No）に処理をステップS27へ移す。
【０４４４】
すなわち、制御部213aは、この端末装置２aを操作した利用者が要求したコンテンツに対する所定の料金を最初に支払ってから現在までの間に追加料金を支払っておらず、現在、最初の支払に対応したコンテンツ利用可能期間内であるという条件、若しくは、この利用者がコンテンツに対する所定の料金を最初に支払ってから現在までの間に追加料金を支払っており、現在、支払った追加料金に対応したコンテンツ利用可能期間内であるという条件を満たしていないと判断した場合に、視聴制限フラグを「１」にセットすると共に、受信した制限モードを設定し（ステップS27）、その後、処理をステップS28へ移す。
【０４４５】
また、ステップS29において制御部 213aは、再生付加フラグをリセットする処理を行った後、決済処理促進用コンテンツデータの再生回数をリセットする処理を行い（ステップS30）、その後、視聴制限フラグをリセットする処理を行って（ステップS31）、処理をステップS32へ移す。
【０４４６】
ステップS32において制御部213aは、視聴制限後の経過時間計測が開始されているか否かの判断を行い、開始されていると判断した場合（ステップS32:Yes）に処理をステップS33へ移し、開始されていないと判断した場合（ステップS32:No）に処理をステップS28へ移す。
【０４４７】
ステップS33において制御部213aは、視聴制限後の経過時間の計測を終了して経過時間をリセットする処理を行った後、処理をステップS28へ移す。
【０４４８】
ステップS28において制御部213aは、ステップS23においてセットしたタイマを解除する処理を行った後、この料金チェック処理を終了して処理を図２９に示すステップS2へ移す。
【０４４９】
（視聴制限再生処理）
この視聴制限再生処理は、図３１に示すステップS35で行う処理であり、制御部213aが第１再生制限手段、第２再生制限手段、第３再生制限手段、第１劣化手段、第２劣化手段、進行劣化手段、コンテンツ選択手段、関連コンテンツ要求手段、関連コンテンツ受信手段として機能して、図３３に示すフローチャートに従って行うものである。
【０４５０】
図３３に示すように、視聴制限再生処理において制御部213aは、再生可否判断処理（ステップS38）を行った後、処理をステップS39へ移す。ここで行う再生可否判断処理は、図３４及び図３５に示すフローチャートに従って行う。
【０４５１】
ステップS39において制御部213aは、後述する再生不可フラグがセットされているか否かの判断を行い、再生不可フラグがセットされていないと判断した場合（ステップS39:No）に処理をステップS40へ移し、再生不可フラグがセットされていると判断した場合（ステップS39:Yes）に、この視聴制限再生処理を終了し、コンテンツデータを図３１に示すステップS36へ移す。
【０４５２】
ステップS40において制御部213aは、図３２に示すステップS24で受信した制限モード情報から制限モードを取得した後、取得した制限モードを解析する処理を行い（ステップS41）、その後処理をステップS42へ移す。
【０４５３】
ステップS42において、制御部213aは、取得した制限モードがお試し版モードであるか否かの判断を行い、お試し版モードであると判断した場合（ステップS42:Yes）に処理をステップS43へ移し、お試し版モードでないと判断した場合（ステップS42:No）に処理をステップS44へ移す。
【０４５４】
ステップS43において制御部213aは、端末装置２aへ送信するコンテンツをお試し版データとするお試し版モード再生処理（図３９参照。）を行い、その後、この視聴制限再生処理を終了して処理を図３１に示すステップS36へ移す。
【０４５５】
ステップS44において制御部213aは、取得した制限モードがランダムモードであるか否かの判断を行い、ランダムモードであると判断した場合（ステップS44:Yes）に処理をステップS45へ移し、ランダムモードでないと判断した場合（ステップS44:No）に処理をステップS46へ移す。
【０４５６】
ステップS45において制御部213aは、図３６に示すランダムモード再生処理を行った後、この視聴制限再生処理を終了して処理を図３１に示すステップS36へ移す。
【０４５７】
ステップS46において制御部213aは、取得した制限モードがフェードアウトモードであるか否かの判断を行い、フェードアウトモードであると判断した場合（ステップS46:Yes）に処理をステップS47へ移し、フェードアウトモードでないと判断した場合（ステップS46:No）に処理をステップS48へ移す。
【０４５８】
ステップS47において制御部213aは、図３７に示すフェードアウトモード再生処理を行った後、この視聴制限再生処理を終了して処理を図３１に示すステップS36へ移す。
【０４５９】
ステップS48において制御部213aは、取得した制限モードが一定劣化モードであるか否かの判断を行い、一定劣化モードであると判断した場合（ステップS48:Yes）に処理をステップS49へ移し、一定劣化モードでないと判断した場合（ステップS48:No）に、この視聴制限再生処理を終了して処理を図３１に示すステップS36へ移す。
【０４６０】
ステップS49において制御部213aは、図３８に示す一定劣化モード処理を行った後、この視聴制限再生処理を終了して処理を図３１に示すステップS36へ移す。
【０４６１】
（再生可否判断処理）
この再生可否判断処理は、図３３に示すS38で行う処理であり、制御部213aが図３４及び図３５に示すフローチャートに従って行うものである。
【０４６２】
図３４及び図３５に示すように、再生可否判断処理において制御部213aは、第２の記憶部203aに再生不可フラグがセットされている場合には、その再生不可フラグを解除する処理を行い（ステップS50）、その後、処理をステップS51へ移す。
【０４６３】
ここで、再生不可フラグとは、端末装置２aがコンテンツデータに対して視聴制限を施した決済処理促進用コンテンツデータを再生するか否かを示すものであり、再生不可フラグがセットされている状態は、決済処理促進用コンテンツデータの再生を禁止している状態であることを示しており、再生不可フラグが解除されている状態は決済処理促進用コンテンツデータの再生が可能な状態を示している。
【０４６４】
ステップS51において制御部213aは、再生可能猶予モードを取得する処理を行い、その後、処理をステップS52へ移す。
【０４６５】
この端末装置２aは、再生可能猶予モードとして、期間猶予モードと、期間内での回数猶予モードと、回数猶予モードとの３種類のモードを備えている。
【０４６６】
ここで、期間猶予モードとは、決済処理促進用コンテンツデータを再生可能な最長の期間（以下、「ＭＡＸ期間」という。）を予め設定しておき、このＭＡＸ期間の間に限り、決済促進用コンテンツデータを再生することができる再生可能猶予モードのことである。
【０４６７】
また、期間内での回数猶予モードとは、ＭＡＸ期間内で決済処理促進用コンテンツデータを再生可能な最大回数（以下、「ＭＡＸ回数」という。）を予め設定しておき、ＭＡＸ期間内でＭＡＸ回数に限り決済処理促進用コンテンツデータを再生することができる再生可能猶予モードのことである。
【０４６８】
また、回数猶予モードとは、ＭＡＸ回数に限り決済処理促進用コンテンツデータを再生することができる再生可能猶予モードのことである。
【０４６９】
そして、制御部213aは、第２の記憶部203aに記憶している配信制限情報と、コンテンツ再生プログラムとを参照して実行することにより、これら３種類の各再生可能猶予モードを実現するようにしている。
【０４７０】
ステップS52において制御部213aは、ステップS51の処理により取得した再生可能猶予モードが期間猶予モードであるか否かの判断を行い、期間猶予モードであると判断した場合（ステップS52:Yes）に処理をステップS53に移し、期間猶予モードでないと判断した場合（ステップS52:No）に処理をステップS59へ移す。
【０４７１】
ステップS53において制御部213aはＭＡＸ期間に関する情報を取得して、第２の記憶部203aの所定領域にＭＡＸ期間を示す変数としてa1を設定し、その後、処理をステップS54へ移す。
【０４７２】
ステップS54において制御部213aは、制限開始から経過した時間、すなわち、決済条件判定手段により決済条件を満たしていないと判定した時点からの時間を示す変数としてb1を第２の記憶部203aの所定領域に設定し、処理をステップS55へ移す。
【０４７３】
ステップS55において制御部213aは、変数a1と変数b1とを比較し、a1＞b1であるか否かの判断を行う。ここで、制御部213aは、a1＞b1であると判断した場合（ステップS55:Yes）に再生不可フラグをセットすることなく処理をステップS56へ移し、a1＞b1でないと判断した場合（ステップS55:No）に、第２の記憶部203aの所定領域に再生不可フラグをセットし（ステップS57）、その後、処理をステップS56へ移す。
【０４７４】
ステップS56において制御部213aは、視聴制限後の経過時間測定（変数b1の更新処理）が開始されているか否かの判断を行い、変数b1の更新処理が開始されていないと判断した場合（ステップS56:No）に変数b1の更新処理を開始する処理（ステップS58）を行って、この再生可否判断処理を終了し、変数b1の更新処理が開始されていると判断した場合（ステップS56:Yes）に、この再生可否判断処理を終了して処理を図３３にしめすステップS39へ移す。
【０４７５】
また、ステップS59において制御部213aは、ステップS51の処理により取得した再生可能猶予モードが期間内での回数猶予モードであるか否かの判断を行い、期間内での回数猶予モードであると判断した場合（ステップS59:Yes）に処理をステップS60へ移し、期間内での回数猶予モードでないと判断した場合（ステップS59:No）に処理をステップS67へ移す。
【０４７６】
ステップS60において制御部213aは、ＭＡＸ期間に関する情報を取得して、第２の記憶部203aの所定領域にＭＡＸ期間を示す変数としてa1を設定し、その後、処理をステップS61へ移す。
【０４７７】
ステップS61において制御部213aは、制限開始から経過した時間、すなわち、決済条件判定手段により決済条件を満たしていないと判定した時点からの時間を示す変数としてb1を第２の記憶部203aの所定領域に設定し、処理をステップS62へ移す。
【０４７８】
ステップS62において制御部213aは、変数a1と変数b１とを比較し、a１＞b１であるか否かの判断を行う。ここで、制御部213aは、a1＞b1であると判断した場合（ステップS62:Yes）に再生不可フラグをセットすることなく処理をステップS63へ移し、a1＞b1でないと判断した場合（ステップS62:No）に、第２の記憶部203aの所定領域に再生不可フラグをセットし（ステップS66）、その後、処理をステップS56へ移す。
【０４７９】
ステップS63において制御部213aは、ＭＡＸ回数に関する情報を取得して、第２の記憶部203aの所定領域にＭＡＸ回数を示す変数としてc1を設定し、その後、処理をステップS64へ移す。
【０４８０】
ステップS64において制御部213aは、制限開始からの再生回数、すなわち、決済処理促進用コンテンツデータの再生回数を示す変数としてd1を第２の記憶部203aの所定領域に設定し、処理をステップS65へ移す。
【０４８１】
ステップS65において制御部213aは、変数c1と変数d1とを比較し、c1＞d1であるか否かの判断を行う。ここで、制御部213aは、c1＞d1であると判断した場合（ステップS65:Yes）に再生不可フラグをセットすることなく処理をステップS56へ移し、c1＞d1でないと判断した場合（ステップS65:No）に、第２の記憶部203aの所定領域に再生不可フラグをセットし（ステップS66）、その後、処理をステップS56へ移す。
【０４８２】
また、ステップS67において制御部213aは、ステップS51の処理により取得した再生可能猶予モードが回数猶予モードであるか否かの判断を行い、回数猶予モードであると判断した場合（ステップS67:Yes）に処理をステップS68へ移し、回数猶予モードでないと判断した場合（ステップS67:No）に処理をステップS71へ移す。
【０４８３】
ステップS71において制御部213aは、再生可能猶予モードを期間猶予モードに設定する処理を行った後、処理をステップS52へ移す。
【０４８４】
ステップS68において制御部213aは、ＭＡＸ回数に関する情報を取得して、第２の記憶部203aの所定領域にＭＡＸ回数を示す変数としてc1を設定し、その後、処理をステップS69へ移す。
【０４８５】
ステップS69において制御部213aは、制限開始からの再生回数、すなわち、決済処理促進用コンテンツデータの再生回数を示す変数としてd1を第２の記憶部203aの所定領域に設定し、処理をステップS70へ移す。
【０４８６】
ステップS70において制御部213aは、変数c1と変数d1とを比較し、c1＞d1であるか否かの判断を行う。ここで、制御部213aは、c1＞d1であると判断した場合（ステップS70:Yes）に再生不可フラグをセットすることなく、この再生可否判断処理を終了し、その後、処理を図３３に示すステップS39へ移す。
【０４８７】
また、c1＞d1でないと判断した場合（ステップS70:No）に制御部213aは、第２の記憶部203aの所定領域に再生不可フラグをセットする処理（ステップS72）を行った後、この再生可否判断処理を終了し、その後、処理を図３３に示すステップS39へ移す。
【０４８８】
（ランダムモード再生処理）
このランダムモード再生処理は、図３３に示すステップS45で行う処理であり、制御部213aがコンテンツ選択手段として機能して、図３６に示すフローチャートに従って行うものである。
【０４８９】
図３６に示すように、ランダムモード再生処理において制御部213aは、複数種類の制限モードからランダムに制限モードを選択する処理を行い（ステップS73）、その後、処理をステップS74へ移す。
【０４９０】
ステップS74において制御部213aは、ランダムに選択した制御モードがランダムモードであるか否かの判断を行い、ランダムモードであると判断した場合（ステップS74:Yes）に処理をステップS73へ移し、ランダムモードでないと判断した場合（ステップS74:No）に処理をステップS75へ移す。
【０４９１】
ステップS75において制御部213aは、選択した制限モードがフェードアウトモードであるか否かの判断を行い、フェードアウトモードであると判断した場合（ステップS75:Yes）に処理をステップS76へ移し、フェードアウトモードでないと判断した場合（ステップS75:No）に処理をステップS82へ移す。
【０４９２】
ステップS76において制御部213aは、制限モードを取得したモードに更新する処理を行った後、複数種類の制限手段からランダムに手段を選択する処理を行い（ステップS77）、その後、制限手段を選択した制限手段に更新する処理を行って（ステップS78）、処理をステップS79へ移す。
【０４９３】
ここで、端末装置２aは、制限手段として、期間制限手段と回数制限手段との２種類の制限手段を備えている。
【０４９４】
ここでいう期間制限手段とは、制御部113が第１劣化手段として機能し、決済処理促進用コンテンツデータの再生可能期間の開始からの経過時間に応じて、段階的に再生品質の劣化の度合いを高める処理を行うものである。
【０４９５】
また、回数制限手段とは、制御手段213aが第２劣化手段として機能して、決済処理促進用コンテンツデータの再生回数の増加に応じて、段階的に再生品質の劣化の度合いを高める処理を行うものである。
【０４９６】
ステップS79において制御手段213aは、複数種類の制限方法からランダムに方法を選択する処理を行った後、選択した制限方法に更新する処理を行い（ステップS80）、その後、処理をステップS81へ移す。
【０４９７】
ここで、端末装置２aは、制限方法として、部分制限方法と品質制限方法との２種類の制限方法を備えている。
【０４９８】
ここでいう部分制限方法とは、制御部213aが第２再生制限手段として機能して、コンテンツデータの一部を決済処理促進用コンテンツデータとして制限する方法である。
【０４９９】
また、品質制限方法とは、制御部213aが第３再生制限手段として機能して、コンテンツデータの再生品質を劣化させたコンテンツデータを決済処理促進用コンテンツデータとして制限する方法である。なお、本実施形態ではこの品質制限方法の具体例として、コンテンツデータの音質を劣化させる音質制限方法を品質制限方法として用いることとする。
【０５００】
ステップS81において制御部213aは、図３７に示すフェードアウトモード再生処理を行った後、このランダムモード再生処理を終了して処理を図３１に示すステップS36へ移す。
【０５０１】
また、ステップS82において制御部213aは、選択した制限モードが一定劣化モードであるか否かの判断を行い、一定劣化モードであると判断した場合（ステップS82:Yes）に処理をステップS83へ移し、一定劣化モードでないと判断した場合（ステップS82:No）に処理をステップS87へ移す。
【０５０２】
ステップS83において制御部213aは、制限モードを取得したモードに更新する処理を行った後、複数種類の制限方法からランダムに方法を選択する処理を行い（ステップS84）、その後、制限方法を選択した制限方法に更新する処理を行って（ステップS85）、処理をステップS86へ移す。
【０５０３】
ステップS86において制御部213aは、図３８に示す一定劣化モード処理を行った後、このランダムモード再生処理を終了して処理を図３１に示すステップS36へ移す。
【０５０４】
また、ステップS87において制御部213aは、選択した制限モードがお試し版モードであるか否かの判断を行い、お試し版モードであると判断した場合（ステップS87:Yes）に処理をステップS88へ移し、お試し版モードでないと判断した場合（ステップS87:No）に、このランダムモード制限データ作成処理を終了して処理を図３１に示すステップS36へ移す。
【０５０５】
ステップS88において制御部213aは、制限モードを取得したモードに更新する処理を行った後、図３９に示すお試し版モード再生処理（ステップS89）を行い、その後、このランダムモード再生処理を終了して処理を図３１に示すステップS36へ移す。
【０５０６】
（フェードアウトモード再生処理）
このフェードアウトモード再生処理は、図３３に示すステップS47、及び、図３６に示すステップS81で行う処理であり、制御部213aが図３７に示すフローチャートに従って行うものである。
【０５０７】
図３７に示すように、フェードアウトモード再生処理において制御部113は、制限手段に関する情報を取得する処理（ステップS90）を行った後、取得した制限手段に関する情報から制限手段を解析する処理（ステップS91）を行い、その後、処理をステップS92へ移す。
【０５０８】
ステップS92において制御部213aは、ステップS91における解析の結果、制限手段が回数制限手段であるか否かの判断を行い、回数制限手段であると判断した場合（ステップS92:Yes）に処理をステップS93へ移し、回数制限手段でないと判断した場合（ステップS92:No）に処理をステップS98へ移す。
【０５０９】
ステップS93において制御部213aは、第２劣化手段として機能して、図４０に示す回数制限処理を行った後、処理をステップS94へ移す。
【０５１０】
また、ステップS98において制御部213aは、制限手段が期間制限手段であるか否かの判断を行い、期間制限手段であると判断した場合（ステップS98:Yes）に処理をステップS99へ移し、期間制限でないと判断した場合（ステップS98:No）に処理をステップS94へ移す。
【０５１１】
ステップS99において制御部213aは、第１劣化手段として機能して、図４１に示す期間制限処理を行った後、処理をステップS94へ移す。
【０５１２】
ステップS94において制御部213aは、制限方法に関する情報を取得する処理を行った後、取得した制限方法を解析する処理を行い（ステップS95）、その後、処理をステップS96へ移す。
【０５１３】
ステップS96において制御部213aは、ステップS95における解析の結果、制限方法が音質制限方法であるか否かの判断を行い、音質制限方法であると判断した場合（ステップS96:Yes）に処理をステップS97へ移し、音質制限方法でないと判断した場合（ステップS96:No）に処理をステップS100へ移す。
【０５１４】
ステップS97において制御部213aは、図４２及び図４３に示す音質制限処理を行った後、このフェードアウトモード再生処理を終了して処理を図３１に示すステップS36へ移す。
【０５１５】
また、ステップS100において制御部213aは、制限方法が部分制限方法であるか否かの判断を行い、部分制限方法であると判断した場合（ステップS100:Yes）に処理をステップS101へ移し、部分制限方法でないと判断した場合（ステップS100:No）に、このフェードアウトモード再生処理を終了して処理を図３１に示すステップS36へ移す。
【０５１６】
ステップS101において制御部213aは、図４４及び図４５に示す部分制限処理を行った後、このフェードアウトモード再生処理を終了して処理を図３１に示すステップS36へ移す。
【０５１７】
（一定劣化モード再生処理）
この一定劣化モード再生処理は、図３３に示すステップS49、及び、図３６に示すステップS86で行う処理であり、制御部213aが図３８に示すフローチャートに従って行うものである。
【０５１８】
図３８に示すように、一定劣化モード再生処理において制御部213aは、制限方法に関する情報を取得する処理（ステップS102）を行った後、取得した制限方法を解析する処理を行い（ステップS103）、その後、処理をステップS104へ移す。
【０５１９】
ステップS104において制御部213aは、ステップS103における解析の結果、制限方法が音質制限方法であるか否かの判断を行い、音質制限方法であると判断した場合（ステップS104:Yes）に処理をステップS105へ移し、音質制限方法でないと判断した場合（ステップS104:No）に処理をステップS106へ移す。
【０５２０】
ステップS105において制御部213aは、図４２及ぶ図４３に示す音質制限処理を行った後、この一定劣化モード再生処理を終了して処理を図３１に示すステップS36へ移す。
【０５２１】
また、ステップS106において制御部213aは、制限方法が部分制限方法であるか否かの判断を行い、部分制限方法であると判断した場合（ステップS106:Yes）に処理をステップS107へ移し、部分制限方法でないと判断した場合（ステップS106:No）に、この一定劣化モード再生処理を終了して処理を図３１に示すステップS36へ移す。
【０５２２】
ステップS107において制御部213aは、図４４及び図４５に示す部分制限処理を行った後、この一定劣化モード再生処理を終了して処理を図３１に示すステップS36へ移す。
【０５２３】
（お試し版モード再生処理）
このお試し版モード再生処理は、図３３に示すステップS43、及び、図３６に示すステップS89で行うものであり、制御手段213aが関連コンテンツ要求手段、関連コンテンツ受信手段、再生手段として機能して、図３９に示すフローチャートに従って行うものである。
【０５２４】
図３９に示すように、お試し版モード再生処理において制御部213aは、コンテンツ配信装置１aへ接続する処理を行い（ステップS110）、その後、処理をステップS111へ移す。
【０５２５】
ステップS111において制御部213aは、コンテンツ配信装置１aへ接続できたか否かの判断を行い、接続できたと判断した場合（ステップS111:Yes）に処理をステップS112へ移し、接続できなかったと判断した場合（ステップS111:No）にこのお試し版モード再生処理を終了して処理を図３１に示すステップS36へ移す。
【０５２６】
ステップS112において制御部213aは、コンテンツ配信装置１aに対してお試し版データを要求する処理（関連コンテンツ要求）を行い、その後、タイマーセット処理（ステップS113）を行った後、処理をステップS114へ移す。
【０５２７】
このとき行うタイマーセット処理（ステップS113）において制御部213aは、コンテンツ配信装置１aへお試し版データを要求するためのユーザによる操作を検出した時点から３分間タイマーによる時間の計測を開始させる処理を行う。
【０５２８】
ステップS114において制御部213aは、お試し版データを受信する処理を行った後、処理をステップS115へ移す。
【０５２９】
ステップS115において制御部213aは、お試し版データを受信できたか否かの判断を行い、受信できたと判断した場合（ステップS115:Yes）に処理をステップS116へ移し、受信できなかったと判断した場合に（ステップS115:No）処理をステップS108へ移す。
【０５３０】
ステップS116において制御部213aは、第２の記憶部203aからコンテンツデータを削除する処理を行った後、処理をステップS343へ移す。
【０５３１】
ステップS343において制御部213aは、これから再生するコンテンツが視聴制限されていることを端末装置２aのユーザに示すための視聴制限コメントを再生する視聴制限コメント再生処理を行う。
【０５３２】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５３３】
その後、制御部213aは、ステップS114において受信したお試し版データを再生する処理を行い（ステップS117）、その後、このお試し版モード再生処理を終了して処理を図３１に示すステップS36へ移す。
【０５３４】
また、ステップS108において制御部213aは、タイムリミットであるか否かの判断を行い、タイムリミットであると判断した場合（ステップS108:Yes）に処理をステップS109へ移し、タイムリミットでないと判断した場合（ステップS108:No）に処理をステップS114へ移す。
【０５３５】
すなわち、制御部213aは、タイマーによる計測時間が３分を超えたと判断した場合に、制限モードを一定劣化モードにする処理を行い（ステップS109）、その後このお試し版モード再生処理を終了して処理を図３１に示すステップS36へ移す。一方、３分を超えていないと判断した場合には、ステップS114〜S115における処理を繰り返し行うようにしている。
【０５３６】
（回数制限処理）
この回数制限処理は、図３７に示すステップS93で行う処理であり、制御部213aが第２劣化手段として機能して、図４０に示すフローチャートに従って行うものである。
【０５３７】
図４０に示すように、回数制限処理において制御部213aは、レベルＵＰに必要な回数を取得し変数をf1に設定する処理（ステップS120）を行った後、処理をステップS121へ移す。すなわち、制御部213aはコンテンツデータの再生品質を劣化させる度合いを高めるために必要な決済処理促進用コンテンツデータの再生回数を取得し、取得した再生回数を示す変数f1を、第２の記憶部203aの所定領域内に設定する処理を行った後、処理をステップS121へ移すようにしている。
【０５３８】
ステップS121において制御部213aは、図３４に示すステップS69、及び、図３５に示すステップS64で設定した変数d1を、ステップS120で設定した変数f1で割り、その結果を制限レベルとして設定する処理を行い、その後、この回数制限処理を終了して処理を図３７に示すステップS94へ移す。
【０５３９】
（期間制限処理）
この期間制限処理は、図３７に示すステップS99で行う処理であり、制御部213aが第１劣化手段として機能して、図４１に示すフローチャートに従って行うものである。
【０５４０】
図４１に示すように、期間制限処理において制御部213aは、レベルＵＰに必要な期間を取得し変数をe1に設定する処理（ステップS118）を行った後、処理をステップS119へ移す。すなわち、制御部213aはコンテンツデータの再生品質を劣化させる度合いを高めるために必要な決済処理促進用コンテンツデータの再生期間を取得し、取得した再生期間を示す変数e1を、第２の記憶部203aの所定領域内に設定する処理を行った後、処理をステップS119へ移すようにしている。
【０５４１】
ステップS119において制御部213aは、図３４に示すステップS54、及び、ステップS61で設定した変数b1を、ステップS118で設定した変数e1で割り、その結果を制限レベルとして設定する処理を行い、その後、この期間制限処理を終了して処理を図３７に示すステップS94へ移す。
【０５４２】
（音質制限処理）
この音質制限処理は、図３７に示すステップS97、及び、図３８に示すステップS105で行う処理であり、制御部213aが第3再生制限手段として機能して、図４２及び図４３に示すフローチャートに従って行うものである。
【０５４３】
図４２及び図４３に示すように、音質制限処理において制御部213aは、音質制限モードを取得する処理（ステップS122）を行った後、取得した音質制限モードを解析する処理を行い（ステップS123）、その後、処理をステップS124へ移す。
【０５４４】
ステップS124において制御部213aは、ステップS123における解析の結果、音質制限モードが進行劣化モードであるか否かの判断を行い、進行劣化モードであると判断した場合（ステップS124:Yes）に処理をステップS125へ移し、進行劣化モードでないと判断した場合（ステップS124:No）に処理をステップS135へ移す。
【０５４５】
ステップS125において制御部213aは、劣化レベルＵＰ間隔情報を取得した後、処理をステップＳ126へ移す。このとき、制御部213aは、進行劣化手段として機能して、決済処理促進用コンテンツデータの再生中に３０秒が経過する毎に音質の劣化レベルを高めるように設定を行う。
【０５４６】
ステップS126において制御部213aは、進行劣化モードにおけるフェードアウトモードであるか否かの判断を行い、フェードアウトモードであると判断した場合（ステップS126:Yes）に処理をステップS127へ移し、フェードアウトモードでないと判断した場合（ステップS126:No）に処理をステップS133へ移す。
【０５４７】
ステップS127において制御部213aは、フェードアウトモード処理内で設定した劣化レベルを初期値とし、その値を音質劣化レベルに設定する処理を行う。
【０５４８】
すなわち、ここで制御部213aは、前回配信した決済処理促進用データの再生終了時における音質劣化レベルよりも高い音質劣化レベルとなるように音質劣化レベルを設定し、その後、処理をステップS344へ移す。
【０５４９】
また、ステップS133において制御部213aは、進行劣化モードにおける一定劣化モードであるか否かの判断を行い、一定劣化モードであると判断した場合（ステップS133:Yes）にステップS134の処理を行った後、処理をステップS128へ移し、一定劣化モードでないと判断した場合（ステップS133:No）に処理をステップS128へ移す。
【０５５０】
ステップS134において制御部213aは、初期値を０とし、その値を音質劣化レベルに設定する。すなわち、制御部213aは、次回に決済処理促進用コンテンツデータを再生する際に、最初の３０秒間は音質劣化のないコンテンツデータを再生させるように設定する処理を行い、その後、処理をステップS344へ移す。これから再生するコンテンツが視聴制限されていることを端末装置２aのユーザに示すための視聴制限コメントを再生する視聴制限コメント再生処理を行う。
【０５５１】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５５２】
その後、制御部213aは、決済処理促進用コンテンツデータを再生する処理（ステップS128）を行った後、処理をステップS129へ移す。
【０５５３】
ステップS129において制御部213aは、決済処理促進用コンテンツデータに劣化レベルに応じた音質劣化処理を施し、その後、処理をステップS130へ移す。
【０５５４】
このとき制御部213aは、決済処理促進用コンテンツデータの再生と同時に、ステップS127で設定した音質劣化レベルまで音質を劣化させる処理を行うようにしている。
【０５５５】
ステップS130において制御部213aは、決済処理促進用コンテンツデータの再生時間を、ステップS125で取得した劣化レベルＵＰ間隔（３０秒）で割る演算処理を行い、その演算結果をn1として第２の記憶部203aの所定領域に記憶させ、その後、処理をステップS131へ移す。
【０５５６】
ステップS131において制御部213aは、音質劣化レベルをステップS127で設定した初期値＋n1とする処理を行った後、処理をステップS132へ移す。
【０５５７】
ステップS132において制御部213aは、決済処理促進用コンテンツデータの再生時間がコンテンツデータの総時間と等しくなったか否かの判断を行い、決済処理促進用コンテンツデータの再生時間とコンテンツデータの総時間とが等しくなったと判断した場合（ステップS132:Yes）に、この音質制限処理を終了して処理を図３１に示すステップS36へ移し、決済処理促進用コンテンツデータの再生時間とコンテンツデータの総時間とが等しくなっていないと判断した場合（ステップS132:No）に、処理をステップS129へ移す。
【０５５８】
こうして、劣化レベルＵＰ間隔（３０秒）再生する毎に音質劣化の度合いが高くなる決済処理促進用コンテンツデータを再生するようにしている。
【０５５９】
また、ステップS135おいて制御部213aは、音質劣化モードがノーマル劣化モードであるか否かの判断を行い、ノーマル劣化モードであると判断した場合（ステップS135:Yes）に処理をステップS136へ移し、ノーマル劣化モードでないと判断した場合（ステップS135:No）に、この音質制限処理を終了して処理を図３１に示すステップS36へ移す。
【０５６０】
ステップS136において制御部213aは、ノーマル劣化モードにおけるフェードアウトモードであるか否かの判断を行い、フェードアウトモードであると判断した場合（ステップS136:Yes）に処理をステップS137へ移し、フェードアウトモードでないと判断した場合（ステップS136:No）に処理をステップS141へ移す。
【０５６１】
ステップS137において制御部213aは、フェードアウトモード処理内で設定した劣化レベルを初期値とし、その値を音質劣化レベルに設定する処理を行った後、処理をステップS138へ移す。すなわち、制御部213aは、前回の決済処理促進用コンテンツデータ再生終了時の音質劣化レベルよりも所定レベル高めた劣化レベルを初期劣化レベルとして設定する処理を行った後、処理をステップS138へ移す。
【０５６２】
また、ステップS141において制御部213aは、ノーマル劣化モードにおける一定劣化モードであるか否かの判断を行い、一定劣化モードであると判断した場合（ステップS141:Yes）に処理をステップS142へ移し、一定劣化モードでないと判断した場合（ステップS141:No）に処理をステップS139へ移す。
【０５６３】
ステップS142において制御部213aは、音質劣化レベルをデフォルト値に設定する処理を行った後、処理をステップS138へ移す。
【０５６４】
ステップS138において制御部213aは、決済処理促進用コンテンツデータ全体に対して、ステップS314、又は、ステップS142で設定した音質劣化レベルに応じた音質劣化処理を行った後、処理をステップS345へ移す。
【０５６５】
ステップS345において制御部213aは、これから再生するコンテンツが視聴制限されていることを端末装置２aのユーザに示すための視聴制限コメントを再生する視聴制限コメント再生処理を行う。
【０５６６】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５６７】
その後、制御部213aは、ステップS138において音質劣化処理を施したデータを再生する処理（ステップS139）を行い、その後、処理をS140へ移す。
【０５６８】
ステップS140において制御部213aは、決済処理促進用コンテンツデータの再生時間がコンテンツデータの総時間と等しくなったか否かの判断を行い、決済処理促進用コンテンツデータの再生時間とコンテンツデータの総時間とが等しくなったと判断した場合（ステップS140:Yes）に、この音質制限処理を終了して処理を図３１に示すステップS36へ移し、決済処理促進用コンテンツデータの再生時間とコンテンツデータの総時間とが等しくなっていないと判断した場合（ステップS140:No）に、ステップS140の処理を繰り返し行う。
【０５６９】
（部分制限処理）
この部分制限処理は、図３７に示すステップS101、及び、図３８に示すステップS107で行う処理であり、制御部213aが第２再生制限手段として機能して、図４４及び図４５に示すフローチャートに従って行うものである。
【０５７０】
図４４及び図４５に示すように、部分制限処理において制御部213aは、部分制限モードを取得する処理（ステップS143）を行った後、取得した部分制限モードを解析する処理を行い（ステップS144）、その後、処理をステップS145へ移す。
【０５７１】
ステップS145において制御部213aは、ステップS144における解析の結果、部分制限モードが所定時間モードであるか否かの判断を行い、所定時間モードであると判断した場合（ステップS145:Yes）に処理をステップS146へ移し、所定時間モードでないと判断した場合（ステップS145:No）に処理をステップS149へ移す。
【０５７２】
ここでの所定時間モードとは、コンテンツデータの先頭から所定時間部分のみを再生可能とした決済処理促進用コンテンツデータを再生するモードである。
【０５７３】
ステップS146において制御部213aは、図４６に示す再生時間取得処理を行った後、処理をステップS346へ移す。
【０５７４】
ステップS346において制御部213aは、これから再生するコンテンツが視聴制限されていることを端末装置２aのユーザに示すための視聴制限コメントを再生する視聴制限コメント再生処理を行う。
【０５７５】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５７６】
その後、制御部213aは、決済コンテンツデータを再生する処理（ステップS147）を行った後、処理をステップS148へ移す。
【０５７７】
ステップS148において制御部213aは、決済処理促進用コンテンツデータの再生時間が後述する再生可能時間よりも長いか否かの判断を行い、決済処理促進用コンテンツデータの再生時間が後述する再生可能時間よりも長いと判断した場合（ステップS148:Yes）に処理をステップS158へ移し、決済処理促進用コンテンツデータの再生時間が後述する再生可能時間よりも短いと判断した場合（ステップS148:No）に、このステップS148の処理を繰り返し行うようにしている。
【０５７８】
また、ステップS149において制御部213aは、部分制限モードがランダム再生モードであるか否かの判断を行い、ランダム再生モードであると判断した場合（ステップS149:Yes）に処理をステップS150へ移し、ランダム再生モードでないと判断した場合（ステップS148:No）に処理をステップS154へ移す。
【０５７９】
ここでのランダム再生モードとは、コンテンツデータのうちランダムに選択した所定開始位置から、所定時間部分のみを再生可能とした決済処理促進用コンテンツデータを生成するモードである。
【０５８０】
ステップS150において制御部213aは、図４６に示す再生時間取得処理を行った後、コンテンツデータの再生開始位置をランダムに取得する処理を行い（ステップS151）、その後、処理をステップS347へ移す。
【０５８１】
ステップS347において制御部213aは、これから再生するコンテンツが視聴制限されていることを端末装置２aのユーザに示すための視聴制限コメントを再生する視聴制限コメント再生処理を行う。
【０５８２】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５８３】
次に、制御部213aは、ステップS151で取得した再生開始位置から予め設定した所定時間、決済処理促進用コンテンツデータを再生する処理を行い（ステップS152）、その後、処理をステップS153へ移す。
【０５８４】
ステップS153において制御部213aは、決済処理促進用コンテンツデータの再生時間が後述する再生可能時間よりも長いか否かの判断を行い、決済処理促進用コンテンツデータの再生時間が後述する再生可能時間よりも長いと判断した場合（ステップS153:Yes）に処理をステップS158へ移し、決済処理促進用コンテンツデータの再生時間が後述する再生可能時間よりも短いと判断した場合（ステップS153:No）に、このステップS153の処理を繰り返し行うようにしている。
【０５８５】
また、ステップS154において制御部213aは、部分制限モードが前奏モードであるか否かの判断を行い、前奏モードであると判断した場合（ステップS154:Yes）に処理をステップS155へ移し、前奏モードでないと判断した場合（ステップS154:No）に処理をステップS159へ移す。
【０５８６】
ここでの前奏モードとは、配信するコンテンツが楽曲である場合に、コンテンツの前奏部分のみを再生可能とした決済処理促進用コンテンツデータを再生するモードであり、再生するコンテンツが映像（映画、ドラマ）である場合に、コンテンツの序章部分のみを再生可能とした決済処理促進用コンテンツデータを再生するモードである。
【０５８７】
ステップS155において制御部213aは、コンテンツデータ内から前奏終了時間を取得すると共に、この前奏終了時間から前奏の再生時間を取得する処理を行った後、処理をステップS348へ移す。
【０５８８】
ステップS348において制御部213aは、これから再生するコンテンツが視聴制限されていることを端末装置２aのユーザに示すための視聴制限コメントを再生する視聴制限コメント再生処理を行う。
【０５８９】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５９０】
次に、制御部213aは、前奏部分のみ再生可能とした決済処理促進用コンテンツデータを再生する処理（ステップS156）を行い、その後、処理をステップS157へ移す。
【０５９１】
ステップS157において制御部213aは、決済処理促進用コンテンツデータの再生時間が、ステップS155で取得した前奏再生時間よりも長いか否かの判断を行い、決済処理促進用コンテンツデータの再生時間が前奏再生時間よりも長いと判断した場合（ステップS157:Yes）に処理をステップS158へ移し、決済処理促進用コンテンツデータの再生時間が前奏再生時間よりも短いと判断した場合（ステップS157:No）に、このステップS157の処理を繰り返し行うようにしている。
【０５９２】
また、ステップS159において制御部213aは、部分制限モードがサビモードであるか否かの判断を行い、サビモードであると判断した場合（ステップS159:Yes）に処理をステップS160へ移し、サビモードでないと判断した場合（ステップS159:No）に処理をステップS165へ移す。
【０５９３】
ここでのサビモードとは、配信するコンテンツが楽曲である場合に、コンテンツのサビ部分のみを再生可能とした決済処理促進用コンテンツデータを再生するモードであり、配信するコンテンツが映像（映画、ドラマ）である場合に、コンテンツのクライマックス部分のみを再生可能とした決済処理促進用コンテンツデータを再生するモードである。
【０５９４】
ステップS160において制御部213aは、コンテンツデータ内からサビ開始位置を取得する処理を行った後、次にコンテンツデータ内からサビ終了位置を取得する処理を行い（ステップS161）、その後、処理をステップS162へ移す。
【０５９５】
ステップS162において制御部213aは、ステップS160で取得したサビ開始位置と、ステップS161で取得したサビ終了位置とからサビ再生時間を取得する処理を行った後、処理をステップS349へ移す。
【０５９６】
ステップS349において制御部213aは、これから再生するコンテンツが視聴制限されていることを端末装置２aのユーザに示すための視聴制限コメントを再生する視聴制限コメント再生処理を行う。
【０５９７】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０５９８】
次に、制御部213aは、サビ開始位置から決済処理促進用コンテンツデータを再生する処理を行い（ステップS163）、その後、処理をステップS164へ移す。
【０５９９】
ステップS164において制御部213aは、決済処理促進用コンテンツデータの再生時間が、ステップS162で取得したサビ再生時間よりも長いか否かの判断を行い、決済処理促進用コンテンツデータの再生時間がサビ再生時間よりも長いと判断した場合に（ステップS164:Yes）処理をステップS158へ移し、決済処理促進用コンテンツデータの再生時間がサビ再生時間よりも短いと判断した場合（ステップS164:No）に、このステップS164の処理を繰り返し行うようにしている。
【０６００】
また、ステップS165において制御部213aは、部分制限モードがサビ前モードであるか否かの判断を行い、サビ前モードであると判断した場合（ステップS165:Yes）に処理をステップS166へ移し、サビ前モードでないと判断した場合（ステップS165:No）に処理をステップS158へ移す。
【０６０１】
ここでのサビ前モードとは、配信するコンテンツが楽曲である場合に、コンテンツのサビ部分の前までのみを再生可能とした決済処理促進用コンテンツデータを再生するモードであり、配信するコンテンツが映像（映画、ドラマ）である場合に、コンテンツのクライマックス部分の前までのみを再生可能とした決済処理促進用コンテンツデータを再生するモードである。
【０６０２】
ステップS166において制御部213aは、コンテンツデータ内からサビ開始位置を取得する処理を行った後、このサビ開始位置に基づいてコンテンツデータの再生開始位置からサビ開始位置の前までの時間を算出する処理を行い（ステップS167）、その後、処理をステップS350へ移す。
【０６０３】
ステップS350において制御部213aは、これから再生するコンテンツが視聴制限されていることを端末装置２aのユーザに示すための視聴制限コメントを再生する視聴制限コメント再生処理を行う。
【０６０４】
具体的には、決済処理用コンテンツデータが音声データである場合に、「このコンテンツは視聴制限されています」という音声データを再生し、決済処理促進用コンテンツデータが画像データである場合に、「このコンテンツは視聴制限されています」という文字データを再生する処理を行う。
【０６０５】
次に、制御部213aは、サビ開始位置の前まで再生可能な決済処理促進用コンテンツデータを再生する処理（ステップS168）を行い、その後、処理をステップS169へ移す。
【０６０６】
ステップS169において制御部213aは、決済処理促進用コンテンツデータの再生時間が、ステップS167で算出したサビ開始前までの再生時間よりも長いか否かの判断を行い、決済処理促進用コンテンツデータの再生時間がサビ開始前までの再生時間よりも長いと判断した場合（ステップS169:Yes）に処理をステップS158へ移し、決済処理促進用コンテンツデータの再生時間がサビ開始前までの再生時間よりも短いと判断した場合（ステップS169:No）に、このステップS169の処理を繰り返し行うようにしている。
【０６０７】
ステップS158において制御部213aは、各決済処理促進用コンテンツデータの再生を終了する処理を行い、その後、この部分制限処理を終了して処理を図３１に示すステップS36へ移す。
【０６０８】
（再生時間取得処理）
この再生時間取得処理は、図４４に示すステップS146、及び、ステップS150で行う処理であり、制御部213aが図４６に示すフローチャートに従って行うものである。
【０６０９】
図４６に示すように、再生時間取得処理において制御部213aは、部分制限モードにおけるフェードアウトモードであるか否かの判断を行い（ステップS170）、フェードアウトモードであると判断した場合（ステップS170:Yes）に処理をステップS171へ移し、フェードアウトモードでないと判断した場合（ステップS170:No）に処理をステップS173へ移す。
【０６１０】
ここでのフェードアウトモードとは、決済処理促進用コンテンツデータの再生可能期間が開始されてからの時間に応じて、決済処理促進用コンテンツデータの再生可能部分を段階的に短くするモードである。
【０６１１】
ステップS171において制御部213aは、フェードアウトモード制限データ作成処理において設定して制限レベルを部分制限レベルに設定する処理を行った後、処理をステップS172へ移す。
【０６１２】
また、ステップS173において制御部213aは、部分制限モードにおける一定劣化モードであるか否かの判断を行い、一定劣化モードであると判断した場合（ステップS173:Yes）に処理をステップS174へ移し、一定劣化モードでないと判断した場合（ステップS173:No）に処理をステップS172へ移す。
【０６１３】
ここでの一定劣化モードとは、決済処理促進用コンテンツデータの再生可能期間が開始されてから時間と無関係に、決済処理促進用コンテンツデータの再生可能時間を一定にするモードである。
【０６１４】
ステップS174において制御部213aは、部分制限レベルをデフォルトに設定する処理を行った後、処理をステップS172へ移す。
【０６１５】
ステップS172において制御部213aは、部分制限レベルから決済処理促進用コンテンツデータの再生可能時間を取得し、その後、この再生時間取得処理を終了して処理を図４４に示すS346、又は、ステップS151へ移す。
【０６１６】
以上、説明してきたように、第１実施形態に記載のコンテンツ配信装置１、又は、第２実施形態に記載の端末装置２aによれば、決済条件判定手段により、決済処理状況が決済処理条件を満たしていないと判定したときに、即コンテンツを利用不可能な状態とはせず、利用者に対して所定の猶予を与え、様々な再生制限処理を施したデータを再生（利用）させることができるので、利用者に対して、積極的にコンテンツの利用可能期間を継続させる処理を促すことができる。
【０６１７】
また、本実施形態では、利用者がコンテンツ配信業者に対して所望のコンテンツに対する所定料金を支払うことにより、所定の利用可能期間に限りコンテンツを利用することができ、この利用可能期間が満了した後であっても、追加料金を支払えば利用可能期間を継続することができるコンテンツ配信システムに、本発明に係るコンテンツ配信装置、又は、端末装置を適用した実施形態を例に挙げて説明を行ったが、本発明はこれに限定されることなく、その他のコンテンツ配信システムに対しても適用することができるものである。
【０６１８】
たとえば、利用者がコンテンツ配信業者に対して毎月一定額の利用料を支払うことにより、複数ヶ月間複数種類のコンテンツデータが利用可能な状態となるコンテンツ配信システムにも適用することができる。
【０６１９】
このようなコンテンツ配信システムに対して本発明を適用する場合には、決済条件判定手段により前月の支払が滞納されていると判定したときに、コンテンツデータの利用を禁止するのではなく、利用者に対して一定の猶予を与え、再生制限付のコンテンツデータを利用者が利用可能な状態にすることができる。
【０６２０】
これにより、利用者に対して滞納している利用料の支払を積極的に促すことができる。
【図面の簡単な説明】
【０６２１】
【図１】第１実施形態におけるコンテンツ配信システムを示す説明図である。
【図２】第１実施形態におけるコンテンツ配信装置の概略構成を示す機能ブロック図である。
【図３】第１実施形態における端末装置の概略構成を示す機能ブロック図である。
【図４】第１実施形態における支払管理装置の概略構成を示す機能ブロック図である。
【図５】第１実施形態におけるコンテンツ配信装置のメイン処理を示すフローチャートである。
【図６】第１実施形態におけるコンテンツ配信装置のコンテンツ送信処理を示すフローチャートである。
【図７】第１実施形態におけるコンテンツ配信装置の再生可否判断処理を示すフローチャートである。
【図８】第１実施形態におけるコンテンツ配信装置の再生可否判断処理を示すフローチャートである。
【図９】第１実施形態におけるコンテンツ配信装置の視聴制限処理を示すフローチャートである。
【図１０】制限モードの種類を示す説明図である。
【図１１】第１実施形態におけるコンテンツ配信装置のランダムモード制限データ作成処理を示すフローチャートである。
【図１２】第１実施形態におけるコンテンツ配信装置のフェードアウトモード制限データ作成処理を示すフローチャートである。
【図１３】第１実施形態におけるコンテンツ配信装置の一定劣化モード制限データ作成処理を示すフローチャートである。
【図１４】第１実施形態におけるコンテンツ配信装置の回数制限処理を示すフローチャートである。
【図１５】第１実施形態におけるコンテンツ配信装置の期間制限処理を示すフローチャートである。
【図１６】第１実施形態におけるコンテンツ配信装置の音質制限処理を示すフローチャートである。
【図１７】第１実施形態におけるコンテンツ配信装置の音質制限処理を示すフローチャートである。
【図１８】第１実施形態におけるコンテンツ配信装置の部分制限処理を示すフローチャートである。
【図１９】第１実施形態におけるコンテンツ配信装置の再生時間取得処理を示すフローチャートである。
【図２０】第１実施形態における端末装置のメイン処理を示すフローチャートである。
【図２１】第１実施形態における端末装置のコンテンツ要求及びコンテンツ再生処理を示すフローチャートである。
【図２２】第２実施形態におけるコンテンツ配信システムを示す説明図である。
【図２３】第２実施形態におけるコンテンツ配信装置の概略構成を示す機能ブロック図である。
【図２４】第２実施形態における端末装置の概略構成を示す機能ブロック図である。
【図２５】第２実施形態における支払管理装置の概略構成を示す機能ブロック図である。
【図２６】第２実施形態におけるコンテンツ配信装置のメイン処理を示すフローチャートである。
【図２７】第２実施形態におけるコンテンツ配信装置のコンテンツデータ送信処理を示すフローチャートである。
【図２８】第２実施形態におけるコンテンツ配信装置のお試し版データ送信処理を示すフローチャートである。
【図２９】第２実施形態における端末装置のメイン処理を示すフローチャートである。
【図３０】第２実施形態における端末装置のコンテンツデータダウンロード処理を示すフローチャートである。
【図３１】第２実施形態における端末装置の再生処理を示すフローチャートである。
【図３２】第２実施形態における端末装置の料金チェック処理を示すフローチャートである。
【図３３】第２実施形態における端末装置の視聴制限再生処理を示すフローチャートである。
【図３４】第２実施形態における端末装置の再生可否判断処理を示すフローチャートである。
【図３５】第２実施形態における端末装置の再生可否判断処理を示すフローチャートである。
【図３６】第２実施形態における端末装置のランダムモード再生処理を示すフローチャートである。
【図３７】第２実施形態における端末装置のフェードアウトモード再生処理を示すフローチャートである。
【図３８】第２実施形態における端末装置の一定劣化モード再生処理を示すフローチャートである。
【図３９】第２実施形態における端末装置のお試し版モード再生処理を示すフローチャートである。
【図４０】第２実施形態における端末装置の回数制限処理を示すフローチャートである。
【図４１】第２実施形態における端末装置の期間制限処理を示すフローチャートである。
【図４２】第２実施形態における端末装置の音質制限処理を示すフローチャートである。
【図４３】第２実施形態における端末装置の音質制限処理を示すフローチャートである。
【図４４】第２実施形態における端末装置の部分制限処理を示すフローチャートである。
【図４５】第２実施形態における端末装置の部分制限処理を示すフローチャートである。
【図４６】第２実施形態における端末装置の再生時間取得処理を示すフローチャートである。
【符号の説明】
【０６２２】
１  第１実施形態におけるコンテンツ配信装置
２  第１実施形態における端末装置
３  第１実施形態における支払管理装置
４  第１実施形態の通信回線
１０１  第１実施形態におけるコンテンツ配信装置のＣＰＵ
１０２  第１実施形態におけるコンテンツ配信装置の第１の記憶部
１０３  第１実施形態におけるコンテンツ配信装置の第２の記憶部
１１３  第１実施形態におけるコンテンツ配信装置の制御部
２０１  第１実施形態における端末装置のＣＰＵ
２０２  第１実施形態における端末装置の第１の記憶部
２０３  第１実施形態における端末装置の第２の記憶部
２１３  第１実施形態における端末装置の制御部
３１２  第１実施形態における支払管理装置の制御部
１a 第２実施形態におけるコンテンツ配信装置
２a 第２実施形態における端末装置
３a 第２実施形態における支払管理装置
４a 第２実施形態における通信回線
１０１a 第２実施形態におけるコンテンツ配信装置のＣＰＵ
１０２a 第２実施形態におけるコンテンツ配信装置の第１の記憶部
１０３a 第２実施形態におけるコンテンツ配信装置の第２の記憶部
１１３a 第２実施形態におけるコンテンツ配信装置の制御部
２０１a 第２実施形態における端末装置のＣＰＵ
２０２a 第２実施形態における端末装置の第１の記憶部
２０３a 第２実施形態における端末装置の第２の記憶部
２１３a 第２実施形態における端末装置の制御部
３１２a 第２実施形態における支払管理装置の制御部
【図１】
2007122464.tif 000003
【図２】
2007122464.tif 000004
【図３】
2007122464.tif 000005
【図４】
2007122464.tif 000006
【図５】
2007122464.tif 000007
【図６】
2007122464.tif 000008
【図７】
2007122464.tif 000009
【図８】
2007122464.tif 000010
【図９】
2007122464.tif 000011
【図１０】
2007122464.tif 000012
【図１１】
2007122464.tif 000013
【図１２】
2007122464.tif 000014
【図１３】
2007122464.tif 000015
【図１４】
2007122464.tif 000016
【図１５】
2007122464.tif 000017
【図１６】
2007122464.tif 000018
【図１７】
2007122464.tif 000019
【図１８】
2007122464.tif 000020
【図１９】
2007122464.tif 000021
【図２０】
2007122464.tif 000022
【図２１】
2007122464.tif 000023
【図２２】
2007122464.tif 000024
【図２３】
2007122464.tif 000025
【図２４】
2007122464.tif 000026
【図２５】
2007122464.tif 000027
【図２６】
2007122464.tif 000028
【図２７】
2007122464.tif 000029
【図２８】
2007122464.tif 000030
【図２９】
2007122464.tif 000031
【図３０】
2007122464.tif 000032
【図３１】
2007122464.tif 000033
【図３２】
2007122464.tif 000034
【図３３】
2007122464.tif 000035
【図３４】
2007122464.tif 000036
【図３５】
2007122464.tif 000037
【図３６】
2007122464.tif 000038
【図３７】
2007122464.tif 000039
【図３８】
2007122464.tif 000040
【図３９】
2007122464.tif 000041
【図４０】
2007122464.tif 000042
【図４１】
2007122464.tif 000043
【図４２】
2007122464.tif 000044
【図４３】
2007122464.tif 000045
【図４４】
2007122464.tif 000046
【図４５】
2007122464.tif 000047
【図４６】
2007122464.tif 000048